(57)【要約】グレージングの少なくとも一部の不透明度を変更するための切替可能デバイスが記載されている。切替可能デバイスは、少なくとも第１及び第２の電気コネクタ領域（３７、４７）と電気的に連通している少なくとも第１及び第２の切替可能領域を含む。各切替可能領域は、第１の電極（３３）と第２の電極（３５）との間に電気的に作動される可変不透明度層（３１、４１）を含み、第１の切替可能領域は第２の切替可能領域に対して配置され、これにより、第１及び第２の電気コネクタ領域を適切な電源（４９）に接続すると、切替可能デバイスの少なくとも第１及び第２の部分が不透明度の変化を有するように第１及び第２の切替可能領域の不透明度は変化し、切替可能デバイスの第１の部分は切替可能デバイスの第２の部分とは異なる不透明度を有する。【選択図】図３
2017538967.tif 000002
【特許請求の範囲】
【請求項１】
グレージングの少なくとも一部の不透明度を変更するための切替可能デバイスであって、少なくとも２つ（第１及び第２）の電気コネクタ領域と電気的に連通している少なくとも２つ（第１及び第２）の切替可能領域を含み、
各切替可能領域は、第１の電極と第２の電極との間に電気的に作動される可変不透明度層を含み、
前記第１の切替可能領域は、前記第２の切替可能領域に対して配置され、これにより、前記第１及び第２の電気コネクタ領域を適切な電源に接続すると、前記切替可能デバイスの少なくとも２つ（第１及び第２）の部分が不透明度の変化を有するように前記第１及び第２の切替可能領域の前記不透明度は変化し、前記切替可能デバイスの前記第１の部分は、前記切替可能デバイスの前記第２の部分とは異なる不透明度を有する、切替可能デバイス。
【請求項２】
前記第１の切替可能領域は第１のキャパシタンスを有し、前記第２の切替可能領域は、前記第１のキャパシタンスとは異なる第２のキャパシタンスを有する、請求項１に記載の切替可能デバイス。
【請求項３】
前記第１及び第２の切替可能領域の前記第１の電極は主面を有し、前記第１の切替可能領域の前記第１の電極の前記主面の面積は、前記第２の切替可能領域の前記第１の電極の前記主面の面積とは異なる、請求項１または請求項２に記載の切替可能デバイス。
【請求項４】
前記第１の電気コネクタ領域は、前記第１の切替可能領域の前記第１の電極と電気的に連通しており、
前記第１の切替可能領域の前記第２の電極は、前記第２の切替可能領域の前記第１の電極と電気的に連通しており、
前記第２の切替可能領域の前記第２の電極は、前記第２の電気コネクタ領域と電気的に連通している、請求項１〜３のいずれか１項に記載の切替可能デバイス。
【請求項５】
前記第１の切替可能領域の前記第２の電極と前記第２の切替可能領域の前記第１の電極との間に直接ガルバニック接続がある、請求項４に記載の切替可能デバイス。
【請求項６】
前記第１の電気コネクタ領域と前記第１の切替可能領域の前記第１の電極との間に直接ガルバニック接続がある、請求項４または請求項５に記載の切替可能デバイス。
【請求項７】
前記第２の切替可能領域の前記第２の電極と前記第２の電気コネクタ領域との間に直接ガルバニック接続がある、請求項４〜６のいずれか１項に記載の切替可能デバイス。
【請求項８】
前記第１の切替可能領域は第１のキャパシタンスを有し、前記第２の切替可能領域は、前記第１のキャパシタンスと同じまたは異なる第２のキャパシタンスを有し、
さらに、前記切替可能デバイスは、前記第１及び第２の電気コネクタ領域と電気的に連通する少なくとも３つの切替可能領域を含むように、第３の切替可能領域を含み、
前記第３の切替可能領域は、第１の電極と第２の電極との間に電気的に作動される可変不透明度層を含み、前記第３の切替可能領域は第３のキャパシタンスを有し、
前記第１及び第２の電気コネクタ領域を適切な電源に接続すると、前記第１、第２及び第３の切替可能領域の前記不透明度は、前記切替可能デバイスの少なくとも３つ（第１、第２及び第３）の部分が不透明度の変化を有するように変化し、前記切替可能デバイスの前記第３の部分は、前記第１及び第２の部分の前記不透明度とは異なる不透明度を有する、請求項１〜７のいずれか１項に記載の切替可能デバイス。
【請求項９】
前記第１のキャパシタンスは前記第２のキャパシタンスと同じであり、さらに、前記第１の部分の前記不透明度は前記第２の部分の前記不透明度と同じである、請求項８に記載の切替可能デバイス。
【請求項１０】
前記第３のキャパシタンスは、前記第１及び第２のキャパシタンスと同じである、請求項８または請求項９に記載の切替可能デバイス。
【請求項１１】
前記第１の切替可能領域の前記第１の電極は、前記第１の電気コネクタ領域と電気的に連通しており、
前記第２の切替可能領域の前記第１の電極は、前記第１の電気コネクタ領域及び前記第１の切替可能領域の前記第１の電極と電気的に連通しており、
前記第１の切替可能領域の前記第２の電極は、前記第２の切替可能領域の前記第２の電極と電気的に連通しており、
前記第３の切替可能領域の前記第１の電極は、前記第１の切替可能領域の前記第２の電極及び前記第２の切替可能領域の前記第２の電極と電気的に連通しており、
前記第３の切替可能領域の前記第２の電極は、前記第２の電気コネクタ領域と電気的に連通している、請求項８〜１０のいずれか１項に記載の切替可能デバイス。
【請求項１２】
前記第１の切替可能領域の前記第１の電極及び／または第２の切替可能領域の前記第１の電極は、前記第１の電気コネクタ領域と直接電気的に連通している、請求項８〜１１のいずれか１項に記載の切替可能デバイス。
【請求項１３】
前記第２の切替可能領域の前記第１の電極は、前記第１の切替可能領域の前記第１の電極と直接電気的に連通している、請求項８〜１２のいずれか１項に記載の切替可能デバイス。
【請求項１４】
前記第１の切替可能領域の前記第２の電極は、前記第２の切替可能領域の前記第２の電極と直接電気的に連通している、請求項８〜１３のいずれか１項に記載の切替可能デバイス。
【請求項１５】
前記第３の切替可能領域の前記第１の電極は、前記第１の切替可能領域の前記第２の電極と直接電気的に連通している、請求項８〜１４のいずれか１項に記載の切替可能デバイス。
【請求項１６】
前記第３の切替可能領域の前記第１の電極は、前記第２の切替可能領域の前記第２の電極と直接電気的に連通している、請求項８〜１５のいずれか１項に記載の切替可能デバイス。
【請求項１７】
前記第３の切替可能領域の前記第２の電極は、前記第２の電気コネクタ領域と直接電気的に連通している、請求項８〜１６のいずれか１項に記載の切替可能デバイス。
【請求項１８】
前記第１の切替可能領域の前記第１の電極は、前記第１の電気コネクタ領域と電気的に連通しており、
前記第２の切替可能領域の前記第１の電極は、前記第１の電気コネクタ領域と電気的に連通しており、
前記第１の切替可能領域の前記第１の電極は、前記第２の切替可能領域の前記第１の電極と電気的に連通しており、
前記第１の切替可能領域の前記第２の電極は、前記第３の切替可能領域の前記第１の電極と電気的に連通しており、
前記第３の切替可能領域の前記第２の電極は、前記第２の切替可能領域の前記第２の電極と電気的に連通しており、
前記第２の切替可能領域の前記第２の電極は、前記第２の電気コネクタ領域と電気的に連通しており、
前記第３の切替可能領域の前記第２の電極は、前記第２の電気コネクタ領域と電気的に連通している、請求項８〜１０のいずれか１項に記載の切替可能デバイス。
【請求項１９】
前記第１の切替可能領域の前記第１の電極及び／または前記第２の切替可能領域の前記第１の電極は、前記第１の電気コネクタ領域と直接電気的に連通している、請求項１８に記載の切替可能デバイス。
【請求項２０】
前記第１の切替可能領域の前記第１の電極は、前記第２の切替可能領域の前記第１の電極と直接電気的に連通している、請求項１８または請求項１９に記載の切替可能デバイス。
【請求項２１】
前記第１の切替可能領域の前記第２の電極は、前記第３の切替可能領域の前記第１の電極と直接電気的に連通している、請求項１８〜２０のいずれか１項に記載の切替可能デバイス。
【請求項２２】
前記第３の切替可能領域の前記第２の電極は、前記第２の切替可能領域の前記第２の電極と直接電気的に連通している、請求項１８〜２１のいずれか１項に記載の切替可能デバイス。
【請求項２３】
前記第２の切替可能領域の前記第２の電極は、前記第２の電気コネクタ領域と直接電気的に連通している、請求項１８〜２２のいずれか１項に記載の切替可能デバイス。
【請求項２４】
前記第３の切替可能領域の前記第２の電極は、前記第２の電気コネクタ領域と直接電気的に連通している、請求項１８〜２３のいずれか１項に記載の切替可能デバイス。
【請求項２５】
直列に電気的接続され、前記第１及び第２の電気コネクタ領域と電気的に連通している複数のブランチＢを含み、各ブランチＢは、２つのノードＮ及びＭと電気的に連通している合計Ｒの切替可能領域を有し、各それぞれのブランチの各端に１つのノードがあり、ノードＮは前記第１の電気コネクタ領域と電気的に連通しており、ノードＭは前記第２の電気コネクタ領域と電気的に連通しており、各ブランチは１つ以上のアームＩを有し、各アームは、前記それぞれのブランチの前記ノードＮ、Ｍと電気的に連通しており、さらに、各アームＩは、直列に接続されたｓ個の切替可能領域及び並列に接続されたｐ個の切替可能領域を有する、請求項１〜２４のいずれか１項に記載の切替可能デバイス。
【請求項２６】
Ｂ＝１、または
Ｂ＝１、Ｉ＝１で、ｓ＞２かつｐ＝０、または
Ｂ＞＝１かつＩ＞＝２、または
Ｉ＞＝２、または
Ｂ＝１、Ｉ＝２で、アームＩ１１はｓ＝２かつｐ＝０を有し、アームＩ２１はｓ＝１かつｐ＝０を有し、または
Ｂ＝２で、ブランチＢ１には２つのアーム（Ｉ＝２）があり、アームＩ１１はｓ＝１かつｐ＝０を有し、アームＩ２１はｓ＝１かつｐ＝０を有し、ブランチＢ２には１つのアーム（Ｉ＝１）があり、アームＩ１２にはｓ＝１かつｐ＝０があり、または
Ｂ＞＝１、Ｉ＞＝２で、Ｉ１１はｓ＞＝２かつｐ＞＝０を有し、Ｉ２１はｓ＝＞１かつｐ＞＝０を有し、または
Ｂ＞＝２で、Ｂ１には２つ以上のアームがあり、Ｉ１１はｓ＞＝１かつｐ＞＝０を有し、アームＩ２１はｓ＞＝１かつｐ＞＝０を有し、Ｂ２には、それぞれｓ＞＝１かつｐ＞＝０を有する１つ以上のアームがあり、または
Ｂ＞＝１で、ブランチＢ１には３つ以上のアームがあり、アームＩ１１にはｓ＞＝ｚかつｐ＞＝０があり、アームＩ２１にはｓ＞＝（ｚ−１）かつｐ＞＝０があり、アームＩ３１にはｓ＞＝ｚ−２があり、ｚは少なくとも３であり、または
Ｂ＞＝１で、さらにブランチＢ１には３つ以上のアームがあり、アームＩ１１にはｓ＝１かつｐ＞＝０があり、アームＩ２１にはｓ＞＝２かつｐ＞＝０があり、アームＩ３１にはｓ＞＝３がある、請求項２５に記載の切替可能デバイス。
【請求項２７】
各それぞれの切替可能領域の各電極対の両端間の電圧は、主として前記切替可能領域のキャパシタンスによって、またはそれによってのみ決定される、請求項１〜２６のいずれか１項に記載の切替可能デバイス。
【請求項２８】
前記切替可能領域の少なくとも１つは、懸濁粒子デバイスまたは液晶を含み、好ましくはすべての前記切替可能領域が懸濁粒子デバイスまたは液晶を含む、請求項１〜２７のいずれか１項に記載の切替可能デバイス。
【請求項２９】
一対の電気コネクタ領域（前記第１の電気コネクタ領域及び前記第２の電気コネクタ領域）のみが存在する、請求項１〜２８のいずれか１項に記載の切替可能デバイス。
【請求項３０】
前記第１及び第２の切替可能部分の前記不透明度は、前記適切な電源を前記第１及び第２の電気コネクタ領域のみに接続することによって変更可能である、請求項１〜２９のいずれか１項に記載の切替可能デバイス。
【請求項３１】
グレージング材の少なくとも１つ（第１）のシートと切替可能なグレージングデバイスとを含むグレージングであって、前記切替可能デバイスは、前記第１及び第２の電気コネクタ領域を接続するに際してグレージング材の前記シートの主面に面するように配置され、前記切替可能デバイスの前記２つの部分は、グレージング材の前記シートの前記主面の方向を見たとき異なる不透明度の少なくとも２つの領域を有する前記グレージングを提供する、請求項１〜３０のいずれか１項に記載のグレージング。
【請求項３２】
グレージング材の前記第１のシートは、少なくとも１枚のガラス、好ましくはソーダ石灰シリカガラスを含む、請求項３１に記載のグレージング。
【請求項３３】
前記切替可能デバイスは、少なくとも１シートの接着性層間材を備える層間構造によって、グレージング材の前記第１のシートの前記主面に接着される、請求項３１または請求項３２に記載のグレージング。
【請求項３４】
前記切替可能デバイスは、グレージング材の前記第１のシートとグレージング材の第２のシートとの間に位置付けされる、請求項３１〜３３のいずれか１項に記載のグレージング。
【請求項３５】
車両の窓または建物の窓であって、請求項３１〜３４のいずれか１項に記載のグレージングを含む、窓。
【発明の詳細な説明】
【技術分野】
【０００１】
本発明は、グレージングの少なくとも一部の不透明度を変化させるための切替可能デバイス、特に、車両のグレージングのシェードバンドとして使用するための複数の切替可能領域を備えた切替可能デバイスに関する。
【０００２】
自動車のような自動車両は、合わせフロントガラスを有することが知られている。ときには、フロントガラスの上部には、しばしばシェードバンドと呼ばれる着色領域がある。ポリビニルブチラール（ＰＶＢ）層を一緒に接着した一対のソーダ石灰シリカガラスシートを備えた従来のフロントガラスでは、シェードバンドは普通ＰＶＢの着色領域であり、一度フロントガラスが製造されると、シェードバンドは所定の位置に固定される。その結果、空の太陽の位置が１日にわたって変化するため、シェードバンドの最適な位置はしばしば達成されない。さらに、シェードバンドが必要でない場合には、ＰＶＢの固定された着色領域のために、フロントガラスを通る総合的透過を増加させることは不可能である。
【０００３】
シェードバンドとして懸濁粒子デバイス（ＳＰＤフィルム）を含むフィルムを使用する１つの解決法がＷＯ２０１０／０３２０６９Ａ１に提案されている。ＳＰＤフィルムは、ＳＰＤフィルム内に可変透過度領域を生成するために高周波電圧を使用して切り替えられる。
【０００４】
そのような方法は、伝送線路のインダクタンスによる直列インピーダンスを増加させる高周波電源を必要とし、ＳＰＤフィルムへの電力伝送を難しくする可能性がある。
【０００５】
ＷＯ２００４／０７７６４９Ａ２から、各ＳＰＤフィルムに特定の大きさの交流電圧を印加するためにキャパシタネットワークを使用して個々のＳＰＤフィルムに電力を供給することが知られている。そのようなシステムは、ＳＰＤフィルムを切り替えるために別個のキャパシタネットワークを必要とする。
【０００６】
ＳＰＤフィルム制御システムは、ＷＯ２００６／０７８５６４Ａ２、ＷＯ２００７／０２９２１５Ａ２及びＷＯ２００７／０１０５４２Ａ１にも記載されている。
【０００７】
ＵＳ２０１３／０２０１５４９Ａ１は、第１の基板と、第２の基板と、ある電位に制御可能な第１の電極と、第１の電極と異なる電位に制御可能な第２の電極と、帯電体と、荷電した光調整粒子と分散媒を含有する液体懸濁物とを含む懸濁粒子デバイスを記載しており、そこにおいて第１の電極、第２の電極及び帯電体とは第１の基板と第２の基板との間に配列され、液体懸濁物は第１の基板と第２の基板との間に封止され、光調整粒子は帯電体の周囲に蓄積することができる。
【０００８】
ＷＯ０１／０１１９１Ａ１は、調整可能な透明度を有する窓を記載している。
【０００９】
本発明者は、グレージングの少なくとも一部の不透明度を変化させるための切替可能デバイスを提供するために切替可能なフィルムの容量効果を利用することが可能であることを見出した。
【００１０】
したがって、本発明は、グレージングの少なくとも一部の不透明度を変更するための切替可能デバイス、少なくとも２つ（第１及び第２）の電気コネクタ領域と電気的に連通している少なくとも２つ（第１及び第２）の切替可能領域を備える切替可能デバイス、を提供し、各切替可能領域は、第１の電極と第２の電極との間に電気的に作動される可変不透明度層を含み、第１の切替可能領域は第２の切替可能領域に対して配置され、これにより、第１及び第２の電気コネクタ領域を適切な電源に接続すると、切替可能デバイスの少なくとも２つ（第１及び第２）の部分が不透明度の変化を有するように第１及び第２の切替可能領域の不透明度は変化し、切替可能デバイスの第１の部分は切替可能デバイスの第２の部分とは異なる不透明度を有する。
【００１１】
本発明による切替可能デバイスは、２つの物理的に別個の切替可能領域の不透明度を変更するために一対の電気領域のみを利用してもよい。また、本発明による切替可能デバイスは、所望の切り替え動作を達成するために低周波電源を利用することができる。
【００１２】
好適実施形態では、切替可能なデバイスは、適切な電源に接続するために構成された一対の電気コネクタ領域（第１の電気コネクタ領域及び第２の電気コネクタ領域）のみを備える。
【００１３】
適切には、第１及び／または第２の切替可能領域の第１及び第２の電極は平板電極である。
【００１４】
第１の切替可能領域の不透明度は、第１の切替可能領域の第１及び第２の電極の両端間に印加された電圧の関数である。適切に高い電圧では、第１の切替可能領域の第１及び第２の電極との間の電気的に作動される可変不透明度層の不透明度は高から低に変化する、すなわち、不透明度が減少し、より多くの可視光が第１の切替可能領域を通過することができる。通常、第１の切替可能領域の第１及び第２の電極の両端間に電圧が印加されないとき、第１の切替可能領域の第１及び第２の電極との間の電気的に作動される可変不透明度層の不透明度は最大である、すなわち、第１の切替可能領域は可視光の最低透過度を有し、しばしば「スイッチオフ」と呼ばれる。第１の切替可能領域の第１及び第２の電極の両端間に電圧が印加されないとき、第１の切替可能領域の第１及び第２の電極との間の電気的に作動される可変不透明度層の不透明度は最大である、すなわち、第１の切替可能領域は最低の可視光の透過度を有し、そして第１の切替可能領域の第１及び第２の電極の両端間に適切な周波数で適切に高い電圧を印加すると、第１の切替可能領域の第１及び第２の電極との間の電気的に作動される可変不透明度層の不透明度は減少する、すなわち、不透明度は、第１の切替可能領域の第１及び第２の電極の両端間に電圧が印加されないときと比べて低いことが好ましい。
【００１５】
第２の切替可能領域の不透明度は、第２の切替可能領域の第１及び第２の電極の両端間に印加される電圧の関数である。適切に高い電圧では、第２の切替可能領域の第１及びと第２の電極との間の電気的に作動される可変不透明度層の不透明度は高から低に変化する、すなわち、不透明度が減少し、より多くの可視光が第１の切替可能領域を通過することができる。通常、第２の切替可能領域の第１及び第２の電極の両端間に電圧が印加されないとき、第２の切替可能領域の第１及び第２の電極との間の電気的に作動される可変不透明度層の不透明度は最大である、すなわち、第２の切替可能領域は可視光の最低透過度を有する。第２の切替可能領域の第１及び第２の電極の両端間に電圧が印加されないとき、第２の切替可能領域の第１及び第２の電極との間の電気的に作動される可変不透明度層の不透明度は最大である、すなわち、第２の切替可能領域は最低の可視光の透過度を有し、そして第２の切替可能領域の第１及び第２の電極の両端間に適切な周波数で適切に高い電圧を印加すると、第２の切替可能領域の第１及び第２の電極との間の電気的に作動される可変不透明度層の不透明度は減少する、すなわち、不透明度は第２の切替可能領域の第１及び第２の電極の両端間に電圧が印加されないときと比べて低いことが好ましい。
【００１６】
各切替可能領域の第１及び第２の電極は離間しているので、各切替可能領域は平行平板キャパシタのように振る舞い、関連するキャパシタンスを有する。このように、切替可能領域は、各切替可能領域がキャパシタであるかのように、直列及び／または並列に電気的接続されてもよい。
【００１７】
特定の切替可能領域のキャパシタンスは、特に電極が平板電極である場合、電極の適切な主面面積を選択することによって変化させることができる。代わりに、特に電極が平板電極である場合、電極の分離が選択されてもよい。代わりに、特に電極が平板電極である場合、電極間の電気的に作動される可変不透明度層の誘電率を変えてもよい。
【００１８】
好ましくは、第１の切替可能領域は第１のキャパシタンスを有し、第２の切替可能領域は第１のキャパシタンスとは異なる第２のキャパシタンスを有する。
【００１９】
好ましくは、第１の切替可能領域は第１のキャパシタンスを有し、第２の切替可能領域は第１のキャパシタンスと同じ第２のキャパシタンスを有する。
【００２０】
いくつかの実施形態では、少なくとも２つの切替可能領域すべてのそれぞれのキャパシタンスは異なる。
【００２１】
好ましくは、第１及び第２の切替可能領域の第１の電極は主面を有し、第１の切替可能領域の第１の電極の主面の面積は、第２の切替可能領域の第１の電極の主面の面積とは異なる。
【００２２】
好ましくは、第１の電気コネクタ領域は第１の切替可能領域の第１の電極と電気的に連通し、第１の切替可能領域の第２の電極は、第２の切替可能領域の第１の電極と電気的に連通し、第２の切替可能領域の第２の電極は第２の電気コネクタ領域と電気的に連通している。
【００２３】
好ましくは、第１の切替可能領域の第２の電極と第２の切替可能領域の第１の電極との間に直接ガルバニック接続が存在する。
【００２４】
好ましくは、第１の電気コネクタ領域と第１の切替可能領域の第１の電極との間に直接ガルバニック接続が存在する。
【００２５】
好ましくは、第２の切替可能領域の第２の電極と第２の電気コネクタ領域との間に直接ガルバニック接続が存在する。
【００２６】
いくつかの実施形態では、第１の切替可能領域は第１のキャパシタンスを有し、第２の切替可能領域は第１のキャパシタンスと同じまたは異なる第２のキャパシタンスを有し、さらに切替可能デバイスは、第１及び第２の電気コネクタ領域と電気的に連通する少なくとも３つの切替可能領域を含むように第３の切替可能領域を備え、第３の切替可能領域は第１の電極と第２の電極との間に電気的に作動される可変不透明度層を含み、第３の切替可能領域は第３のキャパシタンスを有し、第１及び第２の電気コネクタ領域を適切な電源に接続すると、第１、第２及び第３の切替可能領域の不透明度は、切替可能デバイスの少なくとも３つ（第１、第２及び第３）の部分が不透明度の変化を有するように変化し、切替可能デバイスの第３の部分は第１及び第２の部分の不透明度とは異なる不透明度を有する。
【００２７】
切替可能デバイスが第１の電極と第２の電極との間に電気的に作動される可変不透明度層を含む第３の切替可能領域を備える実施形態は、他の好ましい特徴を有する。
【００２８】
好ましくは、第１のキャパシタンスは第２のキャパシタンスと同じであり、さらに第１の部分の不透明度は第２の部分の不透明度と同じである。
【００２９】
好ましくは、第３のキャパシタンスは、第１及び第２のキャパシタンスと同じである。
【００３０】
好ましくは、第１の切替可能領域の第１の電極は第１の電気コネクタ領域と電気的に連通しており、第２の切替可能領域の第１の電極は第１の電気コネクタ領域及び第１の切替可能領域の第１の電極と電気的に連通しており、第１の切替可能領域の第２の電極は第２の切替可能領域の第２の電極と電気的に連通しており、第３の切替可能領域の第１の電極は第１の切替可能領域の第２の電極及び第２の切替可能領域の第２の電極と電気的に連通しており、第３の切替可能領域の第２の電極は第２の電気コネクタ領域と電気的に連通している。
【００３１】
好ましくは、第１の切替可能領域の第１の電極及び／または第２の切替可能領域の第１の電極は、第１の電気コネクタ領域と直接電気的に連通している。
【００３２】
好ましくは、第２の切替可能領域の第１の電極は、第１の切替可能領域の第１の電極と直接電気的に連通している。
【００３３】
好ましくは、第１の切替可能領域の第２の電極は、第２の切替可能領域の第２の電極と直接電気的に連通している。
【００３４】
好ましくは、第３の切替可能領域の第１の電極は、第１の切替可能領域の第２の電極と直接電気的に連通している。
【００３５】
好ましくは、第３の切替可能領域の第１の電極は、第２の切替可能領域の第２の電極と直接電気的に連通している。
【００３６】
好ましくは、第３の切替可能領域の第２の電極は、第２の電気コネクタ領域と直接電気的に連通している。
【００３７】
第３の切替可能領域が存在する実施形態では、好ましくは、第１の切替可能領域の第１の電極は第１の電気コネクタ領域と電気的に連通しており、第２の切替可能領域の第１の電極は第１の電気コネクタ領域と電気的に連通しており、第１の切替可能領域の第１の電極は第２の切替可能領域の第１の電極と電気的に連通しており、第１の切替可能領域の第２の電極は第３の切替可能領域の第１の電極と電気的に連通しており、第３の切替可能領域の第２の電極は第２の切替可能領域の第２の電極と電気的に連通しており、第２の切替可能領域の第２の電極は第２の電気コネクタ領域と電気的に連通しており、第３の切替可能領域の第２の電極は第２の電気コネクタ領域と電気的に連通している。
【００３８】
好ましくは、第１の切替可能領域の第１の電極及び／または第２の切替可能領域の第１の電極は、第１の電気コネクタ領域と直接電気的に連通している。
【００３９】
好ましくは、第１の切替可能領域の第１の電極は、第２の切替可能領域の第１の電極と直接電気的に連通している。
【００４０】
好ましくは、第１の切替可能領域の第２の電極は、第３の切替可能領域の第１の電極と直接電気的に連通している。
【００４１】
好ましくは、第３の切替可能領域の第２の電極は、第２の切替可能領域の第２の電極と直接電気的に連通している。
【００４２】
好ましくは、第２の切替可能領域の第２の電極は、第２の電気コネクタ領域と直接電気的に連通している。
【００４３】
好ましくは、第３の切替可能領域の第２の電極は、第２の電気コネクタ領域と直接電気的に連通している。
【００４４】
一般的な意味では、本発明による切替可能デバイスを、直列に電気的接続され、第１及び第２の電気コネクタ領域と電気的に連通している多数のブランチに関して定義することが可能である。一般に、切替可能デバイスは複数のブランチＢを有する。各ブランチＢは、２つのノードＮ及びＭと電気的に連通している合計Ｒの切替可能領域を有し、それぞれのブランチの各端には１つのノードがある。ノードＮは第１の電気コネクタ領域と電気的に連通しており、ノードＭは第２の電気コネクタ領域と電気的に連通している。各ノードは、それぞれのノードをそれぞれの電気コネクタ領域に電気的接続する経路に沿った仮想点であってもよい。
【００４５】
各ブランチＢ内にはＩアームがあり、各アームはそれぞれのブランチのノードＮ、Ｍと電気的に連通している。このように、各ブランチのＩアームは電気的に並列に接続される。
【００４６】
各個々のアームＩは、直列に接続されたｓ個の切替可能領域と、並列に接続されたｐ個の切替可能領域とを有する。このように、アーム内の切替可能領域の総数はｓ＋ｐである。１つのブランチにＩアームがあるとすれば、Ｒは次のように書くことができる。
【数１】
2017538967.tif 000003
【００４７】
したがって、切替可能デバイスの切替可能領域ＳＴの総数は、次式で与えられる。
【数２】
2017538967.tif 000004
【００４８】
したがって、切替可能デバイス内の切替可能領域の総数は、次式で表わされる。
【数３】
2017538967.tif 000005
【００４９】
ｉアームを有する特定のブランチｊは、次式で示される。
【数４】
2017538967.tif 000006
【００５０】
各切替可能領域を識別するために、ｊ番目のブランチＢにおいて、ｉ番目のアームＩは、次式で示される。
【数５】
2017538967.tif 000007
【００５１】
したがって、切替可能な装置は次式で表される。
【数６】
2017538967.tif 000008
2017538967.tif 000009
【００５２】
本発明の最も単純な実施形態では、切替可能デバイスは直列に電気的接続された２つの切替可能領域のみを備え、第１の切替可能領域は第１のキャパシタンスを有し、第２の切替可能領域は第１のキャパシタンスとは異なる第２のキャパシタンスを有する。上記の式（１）〜（９）に関して、この実施形態では、Ｂ＝１、Ｉ＝１、Ｒ＝ｓ＝２及びｐ＝０である。式（７）によれば、この構成におけるアームはＩ１１で表わすことができ、式（８）によれば、直列に電気的接続された２つの切替可能領域は、１ｓ１１及び１ｓ２１で表わすことができる。式（６）によれば、切替可能デバイスは、ＳＤ＝１ｓ１１＋１ｓ２１と表わしてもよく、ここで１ｓ１１≠１ｓ２１である。
【００５３】
いくつかの実施形態では、Ｂ＝１である。
【００５４】
いくつかの実施形態では、Ｂ＝１、Ｉ＝１、ｓ＞２及びｐ＝０である。
【００５５】
Ｂ＝Ｉ＝１かつｐ＝０である実施形態では、各切替可能領域の不透明度は、主に切替可能領域自体のキャパシタンスによって決定される。外部キャパシタを使用しないことが望ましい場合は、そのキャパシタンスを変更するために切替可能領域のサイズを変更することができる。切替可能領域のキャパシタンスを変更するために他の要因を変えることができ、例えば、特定の切替可能領域に対して、第１及び第２の電極の間隔を変更してもよく、特に第１及び第２の電極が平板電極である場合にそうできる。代わりに、電極間の層の誘電率を変えてもよい。
【００５６】
２つ以上のアームを有する所与のブランチでは、２つ以上の異なる不透明度領域を作成するために、各アームに異なる数の切替可能領域を有し、それぞれのアーム内の各切替可能領域は同じまたは実質的に同じキャパシタンスを有することが好ましい。
【００５７】
Ｂ＞＝１かつＩ＞＝２の実施形態では、各アームは異なる数の切替可能領域を有してもよい。
【００５８】
Ｉ＞＝２である実施形態では、切替可能デバイスは、段階的な不透明度が生成されるように、順番に、アームが前のアームよりも漸進的により多くのまたは漸進的により少ない切替可能領域を有するように配置されてもよい。第１のアームは１つの切替可能領域のみを有してもよく、後続のアームはそれぞれ漸進的に増加する数の切替可能領域を有してもよい。
【００５９】
アーム内の切替可能領域の数は、所望の不透明度を提供するように選択されてもよい。例えば、２つ以上のアームを有するブランチに対しては、ｐ＝０及びｓ＝１であるアームにおいては電極両端間の所与の入力電圧に対して、切替可能領域は最も低いレベルの不透明度、すなわちＯｍｉｎを有するように完全に切り替わることができる。２×Ｏｍｉｎの不透明度を有することが望まれるアームに対しては、切替可能領域の電圧／不透明度グラフを参照して、所望のレベルの不透明度を達成するために平板電極の両端間に要求される電圧を決定することが可能である。入力電圧Ｖｍａｘが不透明度Ｏｍｉｎを生成する場合、２×Ｏｍｉｎの不透明度を得るには、約１／２Ｖｍａｘの入力電圧が必要になることになる。等しいキャパシタンス領域を仮定すると、同じキャパシタンスの２つの切替可能領域を有するアームは、所望の不透明度、すなわちＶｍａｘの入力電圧に対して２×Ｏｍｉｎを提供する。アーム内の切替可能領域の不透明度は、異なるキャパシタンスを有することによってさらに影響され得る。
【００６０】
ブランチＢ、アームＩ及び切替可能領域ｓ、ｐの数は、特定の用途に対して選択されてもよい。
【００６１】
実際問題として、狭い幅を有する切替可能領域を有することは困難であり得るので、単一のフィルム上に多数の切替可能な領域を構築し、次に切替可能領域を提供するような方法でフィルムを切断することが必要になってくる。
【００６２】
いくつかの実施形態では、Ｂ＝１、Ｉ＝２で、Ｉ１１はｓ＝２かつｐ＝０を有し、Ｉ２１はｓ＝１かつｐ＝０を有する。
【００６３】
いくつかの実施形態では、Ｂ＝２で、ブランチＢ１にはアームＩ１１がｓ＝１かつｐ＝０を有し、アームＩ２１がｓ＝１かつｐ＝０を有する２つのアーム（Ｉ＝２）があり、ブランチＢ２にはアームＩ１２がｓ＝１かつｐ＝０である１つのアーム（Ｉ＝１）がある。
【００６４】
いくつかの実施形態では、Ｂ＞＝１、Ｉ＞＝２で、Ｉ１１はｓ＞＝２かつｐ＞＝０を有し、Ｉ２１はｓ＝＞１かつｐ＞＝０を有する。
【００６５】
いくつかの実施形態では、Ｂ＞＝２で、Ｂ１には２つ以上のアームがあり、Ｉ１１はｓ＞＝１かつｐ＞＝０を有し、アームＩ２１はｓ＞＝１かつｐ＞＝０を有し、Ｂ２には１つ以上のアームがあり、それぞれはｓ＞＝１かつｐ＞＝０を有する。
【００６６】
いくつかの実施形態では、Ｂ＞＝１で、ブランチＢ１には３つ以上のアームがあり、アームＩ１１ではｓ＞＝ｚかつｐ＞＝０であり、アームＩ２１ではｓ＞＝（ｚ−１）かつｐ＞＝０であり、アームＩ３１ではｓ＞＝ｚ−２であり、ｚは少なくとも３である。
【００６７】
いくつかの実施形態では、Ｂ＞＝１であり、ブランチＢ１には３つ以上のアームがあり、アームＩ１１ではｓ＝１かつｐ＞＝０であり、アームＩ２１ではｓ＞＝２かつｐ＞＝０であり、アームＩ３１ではｓ＞＝３である。
【００６８】
いくつかの実施形態では、各それぞれの切替可能領域の各電極対の両端間の電圧は、主として切替可能領域のキャパシタンスによって、またはそれによってのみ決定される。
【００６９】
いくつかの実施形態では、切替可能領域の少なくとも１つは、懸濁粒子デバイスまたは液晶を含む。好ましくは、切替可能領域のすべては、懸濁粒子デバイスまたは液晶を含む。
【００７０】
好ましい実施形態では、第１及び第２の切替可能部分の不透明度は、適切な電源を第１及び第２の電気コネクタ領域のみに接続することによって変更可能である。
【００７１】
いくつかの実施形態では、適切な電源は、出力電圧の大きさが可変であり、及び／または出力電圧の周波数が可変であるような可変電源であってもよい。適切には、電源は１０Ｈｚから５００Ｈｚの周波数範囲で動作可能である。
【００７２】
いくつかの実施形態では、第１の電気コネクタ領域は第１の外部コネクタ領域に接続されるように構成され、及び／または第２の電気コネクタ領域は第２の外部コネクタ領域に接続されるように構成され、第１及び／または第２の外部コネクタ領域は、適切な電源と電気的に連通するように構成される。例えば、第１の外部コネクタ領域は、クリップ行為またはソケット／プラグ嵌合行為によって第１の電気コネクタ領域と係合するコネクタであってもよい。
【００７３】
本発明による切替可能デバイスは、グレージングに組み込むことができ、グレージングは、グレージング材の少なくとも１つ（第１）のシートと本発明による切替可能グレージングデバイスとを含み、切替可能デバイスは、第１及び第２の電気コネクタ領域の接続に際してグレージング材のシートの主面に面するように配置され、グレージング材のシートの主面の方向を見たとき、切替可能デバイスの２つの部分は異なる不透明度の少なくとも２つの領域を有するグレージングを提供する。
【００７４】
好ましくは、グレージング材の第１のシートは少なくとも１枚のガラスを含み、より好ましくはソーダ石灰シリカガラスを含む。
【００７５】
好ましくは、切替可能デバイスは、グレージング材の第１のシートとグレージング材の第２のシートとの間に位置付けされる。好ましくは、グレージング材の第１のシートとグレージング材の第２のシートとの間に少なくとも１つの空隙があり、切替可能デバイスがその空隙内に位置付けされる。
【００７６】
好ましくは、切替可能デバイスは、少なくとも１シートの接着性層間材を備える層間構造によって、グレージング材の第１のシートの主面に接着される。適切な接着性層間材は、ポリビニルブチラール、エチレン酢酸ビニルコポリマー、ポリウレタン、ポリ塩化ビニル、及びエチレンとメタクリル酸のコポリマーである。好ましくは、グレージング材の第２のシートが、層間構造によってグレージング材の第１のシートに接合される。
【００７７】
好ましくは、グレージングは、車両の窓または建物の窓の一部である。
【００７８】
グレージングの一部である場合、第１及び／または第２の電気コネクタ領域は、グレージング材の第１のシートから物理的に分離されてもよい。例えば、第１及び／または第２の電気コネクタ領域は、ワイヤの端部が適切な電源に接続可能なワイヤを含んでもよい。
【００７９】
本発明の実施形態を、以下の図面（ノンスケール）を参照しながら、例として記載する。
【図面の簡単な説明】
【００８０】
【図１】図１は、懸濁粒子デバイスフィルムの断面図を示す。
【図２】図２は、平板電極に印加された電圧に伴う懸濁粒子デバイスフィルムを通る光透過の変動量を示す。
【図３】図３は、本発明による切替可能デバイスの概略平面図を示す。
【図４】図４は、図３に示された切替可能デバイスを表す回路図を示す。
【図５】図５は、本発明による別の切替可能デバイスの概略図を示す。
【図６】図６は、図５に示された切替可能デバイスを表す回路図を示す。
【図７】図７は、本発明による別の切替可能デバイスの概略図を示す。
【図８】図８は、図７に示された切替可能デバイスを表す回路図を示す。
【図９】図９は、本発明による別の切替可能デバイスの概略図を示す。
【図１０】図１０は、図９に示された切替可能デバイスを表す回路図を示す。
【図１１】図１１は、本発明による別の切替可能デバイスの概略図を示す。
【図１２】図１２は、図９に示された切替可能デバイスを表す回路図を示す。
【図１３】図１３は、図１１に示された切替可能デバイスを組み込んだグレージングの一部の平面図を示す。
【図１４】図１４は、図１３に示されたグレージングの断面図を示す。
【図１５】図１５は、図１３に示されたグレージングの分解断面図を示す。
【図１６】図１６は、本発明による別の切替可能デバイスを表す回路図を示す。
【図１７】図１７は、本発明による別の切替可能デバイスを示し、その回路図表示は図１６に示されてる。
【図１８】図１８は、本発明による別の切替可能デバイスを示す。
【図１９】図１９は、図９に示された切替可能デバイスの等角斜視図を示し、
【図２０】図２０は、図７に示された切替可能デバイスの等角斜視図を示し、
【図２１】図２１は、図７に示された切替可能デバイスの代わりの構成の等角斜視図を示す。
【図２２】図２２は、図７に示された切替可能デバイスを構築する代わりの方法を示す。
【図２３】図２３は、電極への直接ガルバニック接続を有する懸濁粒子デバイスフィルムを示す。
【図２４】図２４は、懸濁粒子デバイスフィルムの電極の導電性コーティングに容量結合された２つの電気コネクタ領域を有する懸濁粒子デバイスフィルムを示す。
【図２５】図２５は、本発明による別の切替可能デバイスを示しす。
【図２６】図２６は、図２５に示された切替可能デバイスの回路図表示を示す。
【００８１】
図１は、懸濁粒子デバイス（ＳＰＤ）フィルム１の断面図を示す。ＳＰＤフィルム１は、ポリエチレンテレフタレート（ＰＥＴ）３の第１のシート及びＰＥＴ５の第２のシートを含む。ＰＥＴシート３の１つの主面上には、インジウムスズ酸化物（ＩＴＯ）７の導電性コーティングがある。ＰＥＴシート５の１つの主面上には、ＩＴＯ９の導電性コーティングがある。各ＩＴＯコーティング７、９は、それぞれのＰＥＴシート３、５の主面と同じ広がりを持つ。
【００８２】
ＳＰＤフィルム１は、液体懸濁媒体中に懸濁された多くの粒子を含み、それらは層１１内に保持されている。層１１は通常ポリマー媒体である。層１１は、ＩＴＯコーティング７、９に接触して付着している。
【００８３】
ＰＥＴシート３上のＩＴＯ７のコーティングは、第１の平板電極１３である。ＰＥＴシート５上のＩＴＯ９のコーティングは、第２の平板電極１５である。
【００８４】
各平板電極１３、１５のＩＴＯコーティング７、９を適切な電源に適切に接続することによって、層１１に電界を印加することができる。これは、ＩＴＯコーティングへの直接ガルバニック接続によって達成することができ、例えば、第１のバスバーはＩＴＯコーティング７と直接ガルバニック接続し、別のバスバー（すなわち第２のバスバー）はＩＴＯコーティング９と直接ガルバニック接続する。
【００８５】
ＩＴＯコーティングに容量結合するために遠隔電気接続を使用することも知られており、ＷＯ２０１０／０３２０７０Ａ１を参照。
【００８６】
それぞれのＩＴＯコーティングへの電気接続が直接ガルバニックまたは遠隔（またはそれらの組み合わせ）であるかどうかにかかわらず、ＩＴＯコーティング７、９を適切な電源（例えば、１２０Ｖｒｍｓ及び５０Ｈｚの正弦波電圧）と電気的に連通させることにより、層１１の不透明度が変化する。
【００８７】
代わりの組立では、ＳＰＤフィルムは、それぞれの電極のＰＥＴシートがそれぞれのＩＴＯコーティングと層１１の間にあるように、平板電極１３及び／または平板電極１５の向きを逆にしてもよい。
【００８８】
直接ガルバニック及び遠隔接続は、図２３及び図２４に関連してより詳細に説明される。
【００８９】
図２は、６３３ｎｍの波長を有し、図１に示すタイプのＳＰＤフィルムを通過する光線の透過度が、ＩＴＯコーティング７、９の両端間の電圧の大きさの関数としてどのように変化するかを示す。
【００９０】
軸２１は、ＳＰＤフィルム１を透過した波長６３３ｎｍの光（Ｔ）の割合を示す。軸２３は、ＳＰＤフィルム１のＩＴＯコーティング７、９に印加される５０Ｈｚ正弦波電圧の大きさ（ｒｍｓ）を表す。
【００９１】
例えば、ＩＴＯコーティング７、９に電圧が印加されない場合、Ｔは約１％であり、すなわちＳＰＤフィルムに入射する６３３ｎｍの光の１％だけがＳＰＤフィルムを通過する。不透明度（Ｏ）は、１００−透過度、すなわち１００−Ｔと定義され、ＩＴＯコーティング７、９に電圧を印加しない場合、不透明度Ｏは（１００−１）＝９９％である。
【００９２】
ＩＴＯコーティング７、９に印加される電圧の大きさが６０Ｖであるとき、Ｔは約３５％であり、すなわちＳＰＤフィルムに入射する６３３ｎｍの光の３５％がＳＰＤフィルムを通過する。したがって、６０Ｖの印加電圧において、ＳＰＤフィルムの不透明度は（１００−３５）＝６５％である。
【００９３】
ＩＴＯコーティング７、９に印加される電圧の大きさが１２０Ｖであるとき、Ｔは約５０％であり、ＳＰＤフィルムの不透明度Ｏは５０％である。
【００９４】
１２０Ｖを超えてＩＴＯコーティング７、９に印加される電圧の大きさを増加させると、透過度にほとんど変化がない（したがって、不透明度Ｏは一定のままである）。
【００９５】
図２から、単一のＳＰＤフィルムでは、ＩＴＯコーティング７、９に印加される電圧の大きさに依存して、ある範囲のＳＰＤフィルムを通る光透過度（または不透明度）が可能であることが明らかである。
【００９６】
図２は、特定の厚さ及び層１１内の光吸収粒子の特定濃度を有するＳＰＤフィルムを通る光の透過度を表す。ＳＰＤフィルムの厚さ及び／または層１１内の光吸収粒子の濃度を変化させることにより、最小不透明度、すなわち、ＳＰＤフィルムを透過する光の量に影響を及ぼし得るが、曲線の一般的形状は類似する。
【００９７】
図３は、本発明による切替可能デバイス３０の概略平面図を示す。
【００９８】
切替可能デバイス３０は、ガラス板４０に面して示されている（模式的にしか示されていない）。切替可能デバイス３０は、ガラス板の主面に取り付けられてもよい。切替可能デバイスは、２つ以上のガラス板の間に積層される層間構造の一部であってもよい。
【００９９】
ＳＰＤフィルムを一対のガラスシートの間に積層するとき、ポリビニルブチラール、エチレン酢酸ビニルコポリマー、ポリウレタンなどのような接着性層間材の第１のシートの切り抜き領域にＳＰＤフィルムを位置付けし、次に接着性層間材の第２及び第３のシートの間に組み込まれたＳＰＤフィルムを有する接着性層間材の第１のシートを位置付けすることが知られている。接着性層間材の各シートは、同じ材料であっても異なっていてもよい。
【０１００】
代わりに、切替可能デバイス３０は、断熱グレージングユニットの空隙の内部に位置付けされてもよく、断熱グレージングユニットは、少なくとも１つの外周シールによって離間された２つのガラスシート（それによって前記空隙を形成する）を含む二重ガラスの断熱グレージングユニットのようなものであってもよい。
【０１０１】
切替可能デバイス３０は、第１のＳＰＤフィルム３１と第２のＳＰＤフィルム４１とを含む。各ＳＰＤフィルム３１、４１は、図１に関して説明した通りである。分かりやすくするために、各ＳＰＤフィルム３１、４１の電極はわずかにオフセットして示されているが、実際の切替可能デバイスでは、電極３３は電極３５と同じ広がりを有し、電極４３は電極４５と同じ広がりを有する。
【０１０２】
第１のＳＰＤフィルム３１は、第２のＳＰＤフィルム４１とは物理的に分離されているが、それと電気的に連通している。
【０１０３】
第１のＳＰＤフィルム３１は、第２のＳＰＤフィルム４１と同一平面上にある。ガラス板４０が１つ以上の方向に湾曲しているとすれば、第１及び第２のＳＰＤフィルム３１、４１は、湾曲したガラス板の曲率半径に従うことができる。
【０１０４】
ＳＰＤフィルム３１は、第１の電極３３と第２の電極３５とを有する。電極３３、３５の間には、懸濁粒子を含む層（図示せず）がある。
【０１０５】
ＳＰＤフィルム４１は、第１の電極４３と第２の電極４５とを有する。電極４３、４５の間には、懸濁粒子を含む層（図示せず）がある。
【０１０６】
ＳＰＤフィルム３１、４１は、各ＳＰＤフィルムのそれぞれの電極に適切な電圧を印加すると、可視光に対する不透明度を変えることができる切替可能な領域である。
【０１０７】
ＳＰＤフィルム３１の第２の電極３５は、第１の電気コネクタ領域３７への直接ガルバニック接続を有する。ＳＰＤフィルム４１の第２の電極４５は、第２の電気コネクタ領域４７への直接ガルバニック接続を有する。
【０１０８】
ＳＰＤフィルム３１の第１の電極３３は、ＳＰＤフィルム４１の第１の電極４３への直接ガルバニック接続３６を有する。代わりとして、ＳＰＤフィルム３１の第１の電極３３は、ＳＰＤフィルム４１の第２の電極４５と直接ガルバニック接続を有してもよい。この場合、ＳＰＤフィルム４１の第１の電極４３は、第２の電気コネクタ領域４７への直接ガルバニック接続を有することになる。
【０１０９】
ＳＰＤフィルム３１、４１は、図１を参照して説明した通りであるが、ＳＰＤフィルム３１は、ＳＰＤフィルム４１に比べて表面積が大きい。この例では、ＳＰＤフィルム３１の主面の面積は、ＳＰＤフィルム４１の面積の２倍である。各ＳＰＤフィルム３１、４１を、キャパシタンスが
、ここでＡは平板（電極）面積でｄは電極の間隔、で与えられる平行平板キャパシタとして処理することにより、ＳＰＤフィルム３１のキャパシタンスは、（電極間の層の誘電率εは一定であるとして）ＳＰＤフィルム４１のキャパシタンスの２倍である。
【０１１０】
第１及び第２の電気コネクタ領域３７、４７は、適切なリード線３８、４８を介して適切なＡＣ電源４９と電気的に連通している。
【０１１１】
第１及び第２の電気コネクタ領域３７、４７は、ガラス板４０の１つの主面上にあってもよい。代わりに、第１の電気コネクタ領域３７は、ガラス板４０の１つの主面上にあってもよく、第２の電気コネクタ領域は、ガラス板４０の反対の主面上にあってもよい。第１及び／または第２の電気コネクタ領域３７、４７は、ガラス板４０の縁部に位置してもよい。
【０１１２】
図４は、図３に示された切替可能デバイスを表す回路図を示す。２つのＳＰＤフィルムは、直列に電気的接続された２つのキャパシタ３１´及び４１´（ＳＰＤフィルム３１はキャパシタ３１´に対応し、ＳＰＤフィルム４１はキャパシタ４１´に対応する）として表わすことができる。キャパシタ３１´及び４１´が直列に電気的接続されているとすると、各キャパシタ３１´、４１´の電荷は同じである。キャパシタ３１´のキャパシタンスがキャパシタ４１´のキャパシタンスの２倍であるとしてＣ＝Ｑ／Ｖであるので、キャパシタ３１´の両端間の電圧降下は、キャパシタ４１´の両端間の電圧降下の半分である。第１及び第２の電気コネクタ領域３７、４７に５０Ｈｚで１２０Ｖの入力電圧が印加されると仮定すると、ＳＰＤフィルム３１を横切る電圧降下は４０Ｖとなり、ＳＰＤフィルム４１の両端間の電圧降下は８０Ｖとなる。
【０１１３】
図２を参照すると、ＳＰＤフィルム４１は、ＳＰＤフィルム３１よりもより透過性（不透明度が低い）になっており、すなわち、電気コネクタ領域３７、４７が５０Ｈｚで１２０Ｖの電源に接続されているとき、ＳＰＤフィルム３１はＳＰＤフィルム４１よりも暗くなる。
【０１１４】
図２を参照して明らかなように、第１及び第２の電気コネクタ領域３７、４７を適切なＡＣ電源４９の端子に接続する前は、ＳＰＤフィルム３１、４１は共に不透明度が高い（光の透過度が低い）状態にある。第１及び第２の電気コネクタ領域３７、４７を適切なＡＣ電源４９の端子に接続すると、各ＳＰＤフィルム３１、４１の不透明度が低下（各ＳＰＤフィルム３１、４１を通過する光の透過度は、第１及び第２の電気コネクタ領域３７、４７が適切なＡＣ電源４９の端子に電気的接続されていない場合よりも大きい）し、ＳＰＤフィルム４１は、ＳＰＤフィルム３１よりもより透過性（不透明度が低い）になっており、すなわちＳＰＤフィルム３１はＳＰＤフィルム４１よりも暗くなっている。
【０１１５】
図５は、本発明による別の切替可能デバイス５０を示す。切替可能デバイス５０は、ＳＰＤフィルム４１と直列に電気的接続されたＳＰＤフィルム３１がある点で、切替可能デバイス３０と同様である。
【０１１６】
切替可能デバイス５０はまた、第３のＳＰＤフィルム５１を有する。ＳＰＤフィルム５１は、第１の電極５３と第２の電極５５とを有する。電極５３、５５の間には、懸濁粒子を含む層（図示せず）がある。
【０１１７】
切替可能デバイス３０がＳＰＤフィルム３１及び４１によって提供される２つの切替可能領域を有する図３とは対照的に、切替可能デバイス５０は、ＳＰＤフィルム３１、４１、及び５１によって提供される３つの切替可能領域を有する。各ＳＰＤフィルム３１、４１、５１は互いに物理的に分離されているが、電気特性に影響を与えないとすれば、端部領域が接触するように配置されてもよい、すなわち、ＳＰＤフィルム３１、４１、５１それぞれは、互いに物理的に離れているかのように機能する。
【０１１８】
ＳＰＤフィルム４１の第２の電極４５は、ＳＰＤフィルム５１の第２の電極５５への直接ガルバニック接続５６を有する。ＳＰＤフィルム５１の第１の電極５３は、電気コネクタ領域４７への直接ガルバニック接続を有する。
【０１１９】
図３に関して記載したように、ＳＰＤフィルム３１の電極３３、３５は、ＳＰＤフィルム４１の電極の２倍の表面積を有するので、ＳＰＤフィルム３１のキャパシタンスはＳＰＤフィルム４１のキャパシタンスの２倍である。ＳＰＤフィルム４１の電極４３、４５は、ＳＰＤフィルム５１の電極５３、５５の２倍の表面積を有するので、ＳＰＤフィルム４１のキャパシタンスはＳＰＤフィルム５１のキャパシタンスの２倍である。
【０１２０】
図６を参照して、切替可能デバイス５０は、第１の電気コネクタ領域３７と第２の電気コネクタ領域４７との間に直列に電気的接続された３つのキャパシタとして表わしてもよい。ＳＰＤフィルム５１（キャパシタ５１´）のキャパシタンスをＣとすると、ＳＰＤフィルム４１（キャパシタ４１´）のキャパシタンスは２Ｃであり、ＳＰＤフィルム３１（キャパシタ３１´）のキャパシタンスは４Ｃである。直列に電気的接続された各キャパシタの電荷が同じであるとすれば、各キャパシタの両端間の電圧降下を決定することができる。第１及び第２の電気コネクタ領域３７、４７の間の５０Ｈｚで１２０Ｖの入力電圧に対して、ＳＰＤフィルム３１の両端間の電圧は１７．１４Ｖであり、ＳＰＤフィルム４１の両端間の電圧は３４．２８Ｖであり、ＳＰＤフィルム５１の両端間の電圧は６８．５７Ｖである。
【０１２１】
切替可能デバイス５０内の各ＳＰＤフィルム３１、４１、５１の不透明度を決定するために、図２を使用することが可能である。ＳＰＤフィルム５１が電極間で最も高い電圧降下を有するとすれば、ＳＰＤフィルム５１は、ＳＰＤフィルム４１またはＳＰＤフィルム３１よりも高い可視光の透過度を有する。ＳＰＤフィルム３１が電極間で最も低い電圧降下を有するとすれば、ＳＰＤフィルム３１は、ＳＰＤフィルム４１またはＳＰＤフィルム５１よりも低い可視光の透過度を有する。
【０１２２】
電気コネクタ領域３７、４７にわたる入力電圧の大きさを変更することにより、ＳＰＤフィルム３１、４１、５１の不透明度をさらに変更することができることは容易に明らかであろう。例えば、電気コネクタ領域３７、４７にわたるより高い入力電圧に対して、３つのＳＰＤフィルムにわたる電圧降下がより高くなるので、ＳＰＤフィルム３１、４１、５１の不透明度は低減される。
【０１２３】
電圧が高すぎる電源を使用すると、すべてのＳＰＤフィルムが最小の不透明度に切り替わり、したがって切替可能デバイスが本発明に従って機能するのを阻止する。
【０１２４】
追加のＳＰＤフィルムが直列に電気的接続されてもよいことは容易に明らかであろう。追加のＳＰＤフィルムのキャパシタンスを変化させることにより、例えばＳＰＤフィルムの大きさを変えることによって、すなわちＳＰＤフィルムを切断することによって、すべてのＳＰＤフィルムの不透明度を変えることができる。これは、各ＳＰＤフィルムに所望の不透明度を得るためにより高い入力電圧を使用することによって補償することができる。
【０１２５】
本発明の別の実施形態を図７に示す。
【０１２６】
図７は、図１を参照して記載したタイプのＳＰＤフィルム６１、７１、８１の３つのストリップを含む切替可能デバイス６０を示す。図３及び図５と同様に、各ＳＰＤフィルムの平板電極は、分かりやすくするためにオフセットして示されている。
【０１２７】
ＳＰＤフィルム６１、７１、８１のストリップは同一平面上にあってもよい。
【０１２８】
ＳＰＤフィルム６１、７１、８１のストリップは物理的に分離している。
【０１２９】
第１の電極６３と第２の電極６５とを有するＳＰＤフィルム６１の第１のストリップがある。電極６３、６５の間には、懸濁粒子を含む層（図示せず）がある。
【０１３０】
第１の電極７３と第２の電極７５とを有するＳＰＤフィルム７１の第２のストリップがある。電極７３、７５の間には、懸濁粒子を含む層（図示せず）がある。
【０１３１】
第１の電極８３と第２の電極８５とを有するＳＰＤフィルム８１の第３のストリップがある。電極８３、８５の間には、懸濁粒子を含む層（図示せず）がある。
【０１３２】
ＳＰＤフィルム６１、７１、８１のストリップは、それぞれの電極の両端間に適切な電圧を印加すると可視光に対して不透明度を変えることができる切替可能領域である。
【０１３３】
切替可能デバイス６０は、第１の電気コネクタ領域３７と第２の電気コネクタ領域４７とを有する。第２の電極６５、７５は、第１電気コネクタ領域３７と電気的に連通している。本例では、第２の電極６５、７５は、第１の電気コネクタ領域３７への直接ガルバニック接続を有する。
【０１３４】
第１の電極６３、７３は、第１の電極８３と電気的に連通している。本例では、第１の電極６３、７３は、第１の電極８３への直接ガルバニック接続を有する。第２の電極８５は、第２の電気コネクタ領域４７と電気的に連通している。本例では、第２の電極８５は、第２の電気コネクタ領域４７への直接ガルバニック接続を有する。
【０１３５】
ＳＰＤフィルム６１、７１、８１の各ストリップは、ＳＰＤフィルム６１、７１、８１の各ストリップのキャパシタンスが同じであるように同じ寸法を有する。本例では、ＳＰＤフィルム６１、７１、８１の各ストリップの主面は、外形は長方形で長さ５０ｃｍ及び幅２ｃｍを有する。
【０１３６】
適切な電源４９が、第１及び第２の電気コネクタ領域３７、４７に接続するように構成されている。電源は、５０Ｈｚで１２０Ｖピークツーピークの大きさを有する正弦波出力を生成する。
【０１３７】
電源４９を第１及び第２の電気コネクタ領域に接続すると、ＳＰＤフィルム６１、７１、８１のストリップの不透明度は、図２を参照して記載したように変化する。図８は、ＳＰＤフィルム６１、７１、８１の各ストリップ両端間の電圧を決定するために使用される。
【０１３８】
図８は、切替可能デバイス６０の回路図表示を示す。ＳＰＤフィルム６１、７１、８１の各ストリップは、キャパシタ６１´、７１´、８１´によってそれぞれ表されている。
【０１３９】
回路図は２つのブランチ６７、６９を有する。第１のブランチ６７は、ノード７４、７６の間にある。第２のブランチは、ノード７６、７８の間にある。ノード７４は、第１の電気コネクタ領域３７への直接ガルバニック接続を有し、ノード７８は、第２の電気コネクタ領域４７への直接ガルバニック接続を有する。
【０１４０】
ブランチ６７のキャパシタ６１´、７１´は、第１のブランチにおいて並列に接続されている。このように、第１のブランチは２つのアームからなる。第１のアームは単一のキャパシタ６１´からなり、第２のアームは単一のキャパシタ７１´からなる。第２のブランチは、単一のキャパシタ８１´からなる単一のアームを有する。
【０１４１】
したがって、式（４）によれば、第１ブランチ６７は、Ｉ１１＋Ｉ２１で表され、第２ブランチ６９は、Ｉ１２で表される。式（８）によれば、キャパシタ６１´は１ｓ１１として表され、キャパシタ７１´は１ｓ１２として表され、キャパシタ８１´は２ｓ１１として表される。
【０１４２】
ＳＰＤフィルム６１、７１、８１の各ストリップは同じキャパシタンス（＝Ｃ）を有するので、各キャパシタ６１´、７１´、８１´は同じキャパシタンスを有する。したがって、各ブランチの両端間の電圧を決定することが可能である。
【０１４３】
ブランチ６７の等価キャパシタンスは２Ｃである。したがって、第１及び第２の電気コネクタ領域３７、４７の両端間の１２０Ｖの入力電圧に対して、ブランチ６７の両端間の電圧は４０Ｖであり、ブランチ６９の両端間の電圧は８０Ｖである。
【０１４４】
２つのブランチにわたるこの電圧差の結果として、図２を参照すると、ＳＰＤフィルム６１、７１のストリップは、ＳＰＤフィルム８１のストリップよりも透過度の増加が少ない。すなわち、ＳＰＤフィルム６１、７１、８１の各ストリップの不透明度は変化するが、ＳＰＤフィルム８１のストリップはＳＰＤフィルム６１、７１のストリップよりも可視光に対して不透明度が低い（なぜならブランチ６９の両端間の電圧が高いためである）。
【０１４５】
ブランチ間の最大電圧が８０Ｖにすぎないとすると、不透明度は最低値に低下していない（図２を参照すると、最低不透明度は約５０％であり、ところが８０Ｖの入力電圧に対して、不透明度は約（１００−４４）≒５６％）。不透明度を低減するために、電源の電圧の大きさを増加させることができる。上記の例では、ブランチ６９の両端間で１２０Ｖを達成するために電源の大きさは（ブランチ６７の両端間の対応する６０Ｖも一緒にして）１８０Ｖであることが必要となる。
【０１４６】
したがって、切替可能デバイス６０は、３つの切替可能領域を有し、各切替可能領域は、適切な電源に接続すると不透明度が変化する。
【０１４７】
図９は、図１を参照して記載したタイプのＳＰＤフィルム６１、７１、８１の３つのストリップを含む別の切替可能デバイス９０を示す。図３及び図５と同様に、各ＳＰＤフィルムの平板電極は、分かりやすくするためにオフセットして示されている。ＳＰＤフィルム６１、７１、８１のストリップは、前の実施例で図７に示されたものと同じであるが、図９においては、ＳＰＤフィルム６１、７１、８１のストリップは切替可能デバイス９０では異なって電気的接続されている。
【０１４８】
ＳＰＤフィルム６１の第１のストリップは、第１の電極６３と第２の電極６５とを有する。電極６３、６５の間には、懸濁粒子を含む層（図示せず）がある。ＳＰＤフィルム７１の第２のストリップは、第１の電極７３と第２の電極７５とを有する。電極７３、７５の間には、懸濁粒子を含む層（図示せず）がある。ＳＰＤフィルム８１の第３のストリップは、第１の電極８３と第２の電極８５とを有する。電極８３、８５の間には、懸濁粒子を含む層（図示せず）がある。
【０１４９】
切替可能デバイス９０は、第１の電気コネクタ領域３７と第２の電気コネクタ領域４７とを有する。第２の電極６５は、第１の電気コネクタ領域３７と電気的に連通している。第１の電極６３は、第１の電極７３と電気的に連通している。第２の電極７５は、第２の電気コネクタ領域４７と電気的に連通している。
【０１５０】
第１の電極８３は、第１の電気コネクタ領域３７と電気的に連通している。第２の電極８５は、第２の電気コネクタ領域４７と電気的に連通している。
【０１５１】
図９に示す例では、すべての電気的接続は直接ガルバニック接続である。
【０１５２】
適切な電源４９は、第１及び第２の電気コネクタ領域３７、４７に接続するように構成されている。電源は、５０Ｈｚで１２０Ｖピークツーピーク電圧を有する正弦波出力を生成する。
【０１５３】
電源４９を第１及び第２の電気コネクタ領域３７、４７に接続すると、図２及び図１０を参照して記載したように、ＳＰＤフィルム６１、７１、８１のストリップの不透明度が変化する。
【０１５４】
図１０は、切替可能デバイス９０の回路図表示を示す。ＳＰＤフィルム６１、７１、８１の各ストリップは、キャパシタ６１´、７１´、８１´によってそれぞれ表されている。
【０１５５】
回路図は、ノード９４、９６の間に１つのブランチ９２を有する。ノード９４は第１の電気コネクタ領域３７と直接ガルバニック接続を有し、ノード９６は第２の電気コネクタ領域４７と直接ガルバニック接続を有する。
【０１５６】
ブランチ９２は２つのアームを有する。第１のアームは、直列に電気的接続されたキャパシタ６１´、７１´を有する。第２のアームは、単一のキャパシタ８１´からなる。
【０１５７】
したがって、式（４）によれば、第１ブランチ９２は、Ｉ１１＋Ｉ２１で表される。ブランチが１つしかないとすると、Ｂ＝１である。式（８）によれば、キャパシタ６１´は１ｓ１１として表され、キャパシタ７１´は１ｓ２１として表され、キャパシタ８１は１ｓ１２として表される。
【０１５８】
ＳＰＤフィルム６１、７１、８１の各ストリップは同じキャパシタンス（＝Ｃ）を有するので、各キャパシタ６１´、７１´、８１´は同じキャパシタンスを有する。したがって、各キャパシタ（したがって、各切替可能領域６１、７１、８１）の両端間の電圧を決定することが可能である。
【０１５９】
第１のアーム（キャパシタ７１´と直列に電気的接続されたキャパシタ６１´）の等価キャパシタンスは１／２Ｃである。
【０１６０】
第１及び第２の電気コネクタ領域３７、４７の両端間の１２０Ｖの入力電圧に対して、各キャパシタ６１´、７１´の両端間の電圧は６０Ｖであり、キャパシタ８１´の両端間の電圧は１２０Ｖである。
【０１６１】
ブランチ両端のこの電圧の結果として、そして図２を参照すると、ＳＰＤフィルム６１、７１のストリップは、ＳＰＤフィルム８１のストリップよりも透過度の増加が少ない。すなわち、ＳＰＤフィルム６１、７１、８１の各ストリップの不透明度は変化するが、ＳＰＤフィルム８１のストリップは、ＳＰＤフィルム６１、７１のストリップよりも可視光に対する不透明度が低い。
【０１６２】
図２を参照すると、１２０Ｖの入力電圧に対して、ＳＰＤフィルム６１、７１のストリップの両端の電圧は６０Ｖのみであり、不透明度は約（１００−３５)≒６５％であるのに対して、ＳＰＤフィルム８１のストリップは最も低い不透明度（最も高い透過度）を達成することができる。
【０１６３】
したがって、切替可能デバイス９０は、３つの切替可能領域を有し、各切替可能領域は、適切な電源に接続すると不透明度が変化する。
【０１６４】
図１１は、ＳＰＤフィルム１０１、１１１、１２１、１３１、１４１及び１５１の別々のストリップの形態の６つの切替可能領域を含む別の切替可能デバイス１００を示す。切替可能デバイス１００は、グレージング材のシート１０９（模式的にのみ示されている）を含むグレージングの一部として示されている。切替可能デバイス１００は、グレージング材のシート１０９の主面に面している。
【０１６５】
ＳＰＤフィルム１０１、１１１、１２１、１３１、１４１及び１５１の各ストリップは、図１に示す構造を有する。すなわち、ＳＰＤフィルムの各ストリップは第１の電極及び第２の電極を有し、その間に懸濁粒子を含む可変不透明度層が存在する。
【０１６６】
ＳＰＤフィルム１０１の第１のストリップは、第１の電極１０３と第２の電極１０５とを有し、それらの間に懸濁粒子を含む層１０７を有する。
【０１６７】
ＳＰＤフィルム１１１の第２のストリップは、第１の電極１１３と第２の電極１１５とを有し、それらの間に懸濁粒子を含む層１１７を有する。
【０１６８】
ＳＰＤフィルム１２１の第３のストリップは、第１の電極１２３と第２の電極１２５とを有し、それらの間に懸濁粒子を含む層１２７を有する。
【０１６９】
ＳＰＤフィルム１３１の第４のストリップは、第１の電極１３３と第２の電極１３５とを有し、それらの間に懸濁粒子を含む層１３７を有する。
【０１７０】
ＳＰＤフィルム１４１の第５のストリップは、第１の電極１４３と第２の電極１４５とを有し、それらの間に懸濁粒子を含む層１４７を有する。
【０１７１】
ＳＰＤフィルム１５１の第６のストリップは、第１の電極１５３と第２の電極１５５とを有し、それらの間に懸濁粒子を含む層１５７を有する。
【０１７２】
ＳＰＤフィルム１０１、１１１、１２１、１３１、１４１、１５１の各ストリップは、同じキャパシタンスを有するように構成される。これは、同じ長さと幅と同じ電極間隔を有するＳＰＤフィルムのストリップを使用することによって達成され得る。これは、ＳＰＤフィルムの大きな「マザーシート」からストリップを切断することによって簡便に達成される。本例では、ＳＰＤフィルムの各ストリップは５０ｃｍの長さと２ｃｍの幅を有する。
【０１７３】
図１１では、ＳＰＤフィルムの各ストリップが断面で示され、それぞれの電極の導電性ＩＴＯコーティングのみが示されている。図１に示すように、ＩＴＯの導電性コーティングは、ＩＴＯコーティングのための担体として作用するＰＥＴシートの主面上にある。
【０１７４】
図１２は、切替可能デバイス１００の回路図表示を示す。
【０１７５】
図１１及び図１２を参照して、切替可能デバイス１００は、１つのブランチ１０２及び３つのアーム１０４、１０６、及び１０８を含む。
【０１７６】
第１のアーム１０４において、ＳＰＤフィルム１０１の電極１０３は、第１の電気コネクタ領域３７と電気的に連通している。本例では、電極１０３と電気コネクタ領域３７との間に直接ガルバニック接続が存在する。
【０１７７】
ＳＰＤフィルム１０１の電極１０５は、ＳＰＤフィルム１１１の電極１１３と電気的に連通している。本例では、電極１０５と電極１１３との間に直接ガルバニック接続が存在する。
【０１７８】
ＳＰＤフィルム１１１の電極１１５は、ＳＰＤフィルム１２１の電極１２３と電気的に連通している。本例では、電極１１５と電極１２３との間に直接ガルバニック接続が存在する。
【０１７９】
ＳＰＤフィルム１２１の電極１２５は、第２の電気コネクタ領域４７と電気的に連通している。本例では、電極１２５と第２の電気コネクタ領域４７との間に直接ガルバニック接続が存在する。
【０１８０】
第２のアーム１０６では、ＳＰＤフィルム１３１の電極１３３は、第１の電気コネクタ領域３７（したがって、ＳＰＤフィルム１０１の電極１０３）と電気的に連通している。本例では、電極１３３と第１の電気コネクタ領域３７との間に直接ガルバニック接続がある。
【０１８１】
ＳＰＤフィルム１３１の電極１３５は、ＳＰＤフィルム１４１の電極１４３と電気的に連通している。本例では、電極１３５と電極１４３との間に直接ガルバニック接続が存在する。
【０１８２】
ＳＰＤフィルム１４１の電極１４５は、第２の電気コネクタ領域４７（したがって、ＳＰＤフィルム１２１の電極１２５）と電気的に連通している。本例では、電極１４５と第２の電気コネクタ領域４７との間に直接ガルバニック接続が存在する。
【０１８３】
第３のアーム１０８では、ＳＰＤフィルム１５１の電極１５３は、第１の電気コネクタ領域３７（したがって、ＳＰＤフィルム１０１の電極１０３及びＳＰＤフィルム１３１の電極１３３）と電気的に連通している。本例では、電極１５３と第１の電気コネクタ領域３７との間に直接ガルバニック接続がある。
【０１８４】
ＳＰＤフィルム１５１の電極１５５は、第２の電気コネクタ領域４７（したがって、ＳＰＤフィルム１２１の電極１２５及びＳＰＤフィルム１４１の電極１４５）と電気的に連通している。本例では、電極１５５と第２の電気コネクタ領域４７との間に直接ガルバニック接続が存在する。
【０１８５】
第１及び第２の電気コネクタ領域３７、４７を適切な電源４９（例えば交流電圧、特に１２０〜２４０Ｖの大きさ及び５０〜６０Ｈｚの周波数を有する正弦波電圧）に接続すると、アーム１０４、１０６、１０８におけるＳＰＤフィルムの不透明度は、特に図１２を参照してより詳細に記載するように変化する。
【０１８６】
図１２は、切替可能デバイス１００を表わす回路図を示す。
【０１８７】
切替可能デバイス１００は、１つのブランチ１０２と、３つのアーム１０４、１０６及び１０８を有する。第１のアーム１０４はノード１２０と１２２の間にあり、第２のアーム１０６はノード１３０と１３２の間にあり、第３のアーム１０８はノード１４０と１４２の間にある。各ノード１２０、１３０、１４０は、第１の電気コネクタ領域３７への直接ガルバニック接続を有し、各ノード１２２、１３２、１４２は、第２の電気コネクタ領域４７への直接ガルバニック接続を有する。
【０１８８】
各ＳＰＤフィルム１０１、１１１、１２１、１３１、１４１、１５１は、キャパシタ１０１´、１１１´、１２１´、１３１´、１４１´、１５１´によってそれぞれ表されている。
【０１８９】
第１のアーム１０４は、直列に電気的接続されたキャパシタ１０１´、１１１´及び１２１´を有する。第２のアーム１０６は、直列に電気的接続されたキャパシタ１３１´及び１４１´を有する。第３のアーム１０８は、ノード１４０、１４２間に単一のキャパシタ１５１´を有する。
【０１９０】
見てとれるように、アーム１０４、１０６、１０８は、第１及び第２の電気コネクタ領域３７、４７の両端間に並列に電気的接続されている。
【０１９１】
キャパシタ１０１´、１１１´、１２１´、１３１´、１４１´及び１５１´はすべて同じキャパシタンスを有する（ＳＰＤフィルム１０１、１１１、１２１、１３１、１４１、１５１のキャパシタンスは同じであるため）とすれば、第１及び第２の電気コネクタ領域３７、４７の両端間の５０Ｈｚで１２０Ｖの入力電圧に対して、第１のアーム１０４では、各キャパシタ１０１´、１１１´及び１２１´の両端に４０Ｖの電圧が存在する。第２のアーム１０６では、各キャパシタの両端に６０Ｖの電圧があり、第３のアーム１０８では、キャパシタ１５１´の両端の電圧は１２０Ｖである。
【０１９２】
したがって、切替可能デバイス１００を適切な電源４９に接続すると、ＳＰＤフィルム１０１、１１１及び１２１のストリップの不透明度は第１の不透明度に変化し、ＳＰＤフィルム１３１及び１４１のストリップの不透明度は第２の不透明度に変化し、ＳＰＤフィルム１５１のストリップの不透明度は第３の不透明度に変化する。ＳＰＤフィルムの各ストリップの不透明度の変化は、図２を参照して決定することができる。例えば、ＳＰＤフィルムの両端間の電圧４０Ｖに対しては、不透明度は約（１００−１８）％＝８２％、すなわち第１の不透明度は８２％である。ＳＰＤフィルムの両端間の電圧６０Ｖに対しては、不透明度は約（１００−３５）％＝６５％、すなわち第２の不透明度は６５％である。ＳＰＤフィルムの両端間の電圧１２０Ｖに対しては、不透明度は約（１００−５０）％＝５０％、すなわち第３の不透明度は５０％である。
【０１９３】
図１１から分かるように、切替可能デバイス１００は、ＳＰＤフィルム１０１、１１１、１２１、１３１、１４１及び１５１のすべてのストリップの不透明度を変えるために、２つの電気入力（電気コネクタ領域３７、４７）を必要とするだけである。ＳＰＤフィルムのストリップの配置は、切替可能デバイス１００を切り替えるために必要とされる電気的接続の数を単純化し、またＳＰＤフィルムの各ストリップの両端間に所望の切り替え電圧を得るためにかさばった外部キャパシタを使用する必要性を低減する。
【０１９４】
方程式（４）に従って、ブランチ１０２は、Ｉ１１＋Ｉ２１＋Ｉ３１（すなわち、アーム１０４≡Ｉ１１、アーム１０６≡Ｉ２１及びアーム１０８≡Ｉ３１）で表わされてもよい。ブランチが１つしかないとすれば、Ｂ＝１である。切替可能領域は、式（８）を用いて定義することができる。アームＩ１１において、キャパシタ１０１´は１ｓ１１として表され、キャパシタ１１１´は１ｓ２１として表され、キャパシタ１２１は１ｓ３１として表されてもよい。アームＩ２１において、キャパシタ１３１´は１ｓ１２として表され、キャパシタ１４１´は１ｓ２２として表されてもよい。アームＩ３１において、キャパシタ１５１´は１ｓ１３として表されてもよい。
【０１９５】
図１３は、切替可能デバイス１００を含むグレージング１１０の一部の平面図を示す。図１４は、図１３に示した方向Ａ−Ａ´で見たグレージング１１０の断面図を示す。
【０１９６】
図１３の平面図は、切替可能デバイス１００が、グレージングの中心部ではなくグレージングの周縁領域にどのように位置しているかを示している。例えば、グレージングの一部は、前記部分に切替可能領域がないため、不透明度を変更することができない。図１３に示した構成は、車両用フロントガラスのシェードバンドとして切替可能デバイスを使用するときに有用である。
【０１９７】
ＳＰＤフィルム１０１、１１１、１２１、１３１、１４１、１５１のストリップは、切替可能デバイス１００を形成するために接続される前に物理的に分離されているが、切替可能デバイスに組み込まれたとき、ＳＰＤフィルムの隣接するストリップの長手方向縁部は、それらの間に隙間のない外観を与えるように接触してもよい。ＳＰＤフィルムの個々のストリップ間のこのような隙間は、シェードバンドが連続していないという印象を与え、シェードバンドは不透明度で高から低に連続的な変化を有することが通常要求される。ＳＰＤフィルムのストリップ間に何らかの物理的接触がある場合、そのような接触はＳＰＤフィルムが切り替わる方法に影響を与えないこと、すなわち物理的接触がないかのようにＳＰＤフィルムのストリップが挙動することを目標とする。
【０１９８】
所望ならば、グレージングの可視面積全体を切替可能デバイスで覆ってもよい。
【０１９９】
切替可能デバイス１００は、グレージング材の板１６０の主面に面するように構成される。本特定の例では、グレージング１１０は、その間に層間構造を有するガラス（すなわち、ソーダ石灰シリカガラス、特にフロートガラス）またはプラスチック（すなわち、ポリカーボネート）のようなグレージング材の２つの間隔をあけられた板を含む積層グレージングである。
【０２００】
図１３において、ＳＰＤフィルム１０１、１１１、１２１、１３１、１４１、１５１のストリップの濃淡は、「スイッチオン」構成、すなわち適切な電源が電気コネクタ領域３７、４７に接続されている、での切替可能デバイス１００を例証するために使用されている。
【０２０１】
全体的な印象は、グレージング１１０が、車両のフロントガラスのフェードバンドで典型的なように、暗から明への段階的透過度領域を有することである。不透明度の階調の粗さは、より幅の狭いストリップをより多く使用することで変えられ、例えば、長さ５０ｃｍ、幅２ｃｍの６つのストリップの代わりに、長さ５０ｃｍ、幅１ｃｍの１２のストリップであってもよい。
【０２０２】
所望の段階的な透過領域の特性に応じて、ＳＰＤフィルムのストリップがすべて同じ長さ及び／または幅を有しなくてもよい。
【０２０３】
図１４は、切替可能デバイス１００がグレージング１１０にどのように組み込まれているかを示している。図１５は、図１４の分解図を示す。
【０２０４】
グレージング１１０は、層間構造１７２によって第２のガラス板１７０に接合された第１のガラス板１６０を有する。層間構造は、接着性層間材の第１のシート１６１、接着性層間材の第２のシート１６３及び接着性層間材の第３のシート１６５を含む。
【０２０５】
本例では、接着性層間材の第１、第２及び第３のシート１６１、１６３、１６５はポリビニルブチラール（ＰＶＢ）であるが、接着性層間材の第１、第２及び第３のシートのいずれもエチレン酢酸ビニルコポリマー、ポリウレタンまたはポリ塩化ビニルであってもよい。
【０２０６】
接着性層間材の第１のシート１６１は、ガラス板１６０の主面と接触しており、かつそれと同じの広がりを有する。接着性層間材の第２のシート１６３は、ガラス板１７０の主面と接触しており、かつそれと同じの広がりを有する。接着性層間材の第３のシート１６５は、接着性層間材の第１及び第２のシート両方と接触している。
【０２０７】
接着性層間材の第３のシート１６５は、切り抜き領域１６６をその中に有する。切替可能デバイス１１０は、接着性層間材の第３のシート１６５の切り抜き領域１６６内に位置している。
【０２０８】
グレージング１１０は、その主面が上を向くように最初にガラス板１６０をレイアップすることによって製造されてもよい。次に、ＰＶＢ１６１のシートは、ガラス板１６０の主面に上向きに面して置かれる。次に切り抜き領域１６６を有するＰＶＢ１６５のシートがＰＶＢ１６１のシート上に置かれる。次に、切替可能デバイス１１０は、ＰＶＢ１６５のシート内の切り抜き領域１６６内に位置付けされる。切替可能デバイスは、切り抜き領域１６６内に位置付けされる前に構築されてもよい。次に、ＰＶＢ１６３のシートが、切り抜き領域１６６内に位置する切替可能デバイスを有するＰＶＢ１６５のシート上に位置付けされる。次に、ガラス板１７０がＰＶＢ１６３のシート上に位置付けされる。
【０２０９】
ガラス板１６０、ＰＶＢ１６１のシート、切り抜き領域内に位置する切替可能デバイス１１０を有するＰＶＢ１６５のシート、ＰＶＢ１６３のシート及びガラス板１７０のアセンブリは、次に、ガラス板１６０が層間構造１７２によってガラス板１７０に接合されるように適切な高温高圧で積層される。
【０２１０】
グレージング１１０は、ルーフライト、サイド窓、バックライトまたはフロントガラスのような自動車用グレージングであってもよい。
【０２１１】
好ましくは、グレージング材のシートは、透明フロートガラスのようなソーダ石灰ケイ酸塩組成物を有するガラスのシートである。透明フロートガラスとは、ＢＳ  ＥＮ  ５７２  １及びＢＳ  ＥＮ  ５７２−２（２００４）に定義されたような組成を有するガラスを意味する。適切に、ガラスシートは、酸化鉄、セレン、酸化ニッケル及び酸化コバルトのような１つ以上の添加剤で着色される。
【０２１２】
好ましくは、グレージング材のシートは、１．５ｍｍと３．５ｍｍとの間、より好ましくは１．６ｍｍと２．３ｍｍとの間の厚さを有する。
【０２１３】
グレージング１１０は平坦であるように示されているが、グレージング１１０は湾曲していてもよく、例えば、グレージング材のシートは、グレージング材のシートが少なくとも１つの方向に湾曲するように曲げられていてもよい。好ましくは、少なくとも１つの方向における曲率半径は、５００ｍｍと２００００ｍｍとの間、より好ましくは１０００ｍｍと８０００ｍｍとの間である。
【０２１４】
グレージング１１０は、例えば、グレージングの反対の側に沿って、またはグレージングの２つの接続側に沿って、段階的透過度の２つの領域がグレージング内で動作可能であるような２つ以上の切替可能デバイスを有してもよい。
【０２１５】
段階的透過度は、グレージングの周縁から遠ざかるに従い暗から明に、またはその逆になってもよい。
【０２１６】
図１６は、別の切替可能デバイス１８０の回路図表示を示す。切替可能デバイス１８０は、１つのブランチ及び３つのアームがある点で、切替可能デバイス１００と同様である。しかしながら、各アームＩ１１、Ｉ２１及びＩ３１は、直列に電気的接続された３つのキャパシタを有する。
【０２１７】
第１のアームＩ１１において、キャパシタ１８４´、１８６´及び１８８´は、ノード３２０と３２２との間に直列に電気的接続されている。第２のアームＩ２１において、キャパシタ１９４´、１９６´及び１９８´は、ノード３３０と３３２との間に直列に電気的接続されている。第３のアームＩ３１において、キャパシタ２０４´、２０６´及び２０８´は、ノード３４０と３４２との間に直列に電気的接続されている。
【０２１８】
ノード３２０、３３０及び３４０は、第１の電気コネクタ領域３７への直接ガルバニック接続を有する。ノード３２２、３３２及び３４２は、第２の電気コネクタ領域４７への直接ガルバニック接続を有する。
【０２１９】
キャパシタ１８４´、１９４´及び２０４´のキャパシタンスはすべて同じ（＝４Ｃ）である。キャパシタ１８６´、１９６´及び２０６´のキャパシタンスはすべて同じ（＝２Ｃ）である。キャパシタ１８８´、１９８´及び２０８´のキャパシタンスはすべて同じ（＝Ｃ）である。
【０２２０】
切替可能デバイスにおいて、図１６に示したキャパシタは、ＳＰＤフィルムのストリップのキャパシタンスを表わす。所望のキャパシタンス比を達成するために、（電極の分離が一定であるように）大きなＳＰＤフィルムからストリップを切断し、ストリップの表面積が４：２：１となるように確保することが可能である。便利な方法は、長方形の輪郭を有する主面を有するようにＳＰＤフィルムのストリップを切断することであり、ここで各ストリップの長さは同じであるが、その幅は所望のキャパシタンス比を達成するように選択される。３つのストリップが長さＬ及び幅ｗを有するように切断でき、３つのストリップが長さＬ及び幅２ｗを有するように切断でき、３つのストリップが長さＬ及び幅４ｗを有するように切断できることは容易に明らかである。
【０２２１】
切替可能デバイス１００とは異なり、各アームに使用されるＳＰＤフィルムのストリップのキャパシタンスはすべてが同じではない。各アームには、直列に電気的接続されたＳＰＤフィルムの３つのストリップがあり、第１のストリップは第２のストリップの２倍の表面積を有し、第３のストリップは第２のストリップの表面積の半分の表面積を有する。結果として、第１のアームにおけるＳＰＤフィルムのストリップのキャパシタンスは、４Ｃ、２Ｃ及びＣである。第２及び第３のアームも同様に構成される。
【０２２２】
切替可能デバイス１８０は、図１７に示されており、面積４Ｌｗを有するＳＰＤフィルムのストリップが一緒にグループ化され、面積２Ｌｗを有するＳＰＤフィルムのストリップが一緒にグループ化され、及び面積Ｌｗを有するＳＰＤフィルムのストリップが一緒にグループ化されている。その結果、電気コネクタ領域３７、４７が適切な電源に接続されると、第１の方向でより大きな不透明度、次いで中程度の不透明度、その次に最も低い不透明度を有する切替可能なデバイス１８０をもたらす。これは図１７に示されており、ここでは切替可能なデバイス１８０がグレージングの一部として配置されて示されている。分かりやすくするために、グレージングは示されていないが、切替可能デバイス１８０は、（例えば、図１３に示すように）グレージングの主面に面する各切替可能領域の主面を有するグレージングの周縁付近に位置付けされてもよい。
【０２２３】
図１７が示すように、各アームの切替可能領域が直列に電気的接続されていても、切替可能領域の空間的配置は、同じキャパシタを有する各アームの切替可能領域が一緒にグループ化されるようなものである。
【０２２４】
図１８は、別の切替可能デバイス２１０を示す。切替可能デバイス２１０は、４つのアーム２０９、２２０、２３０及び２４０を有する１つのブランチを含む。
【０２２５】
第１のアーム２０９には、直列に電気的接続された８つの切替可能領域２１１、２１２、２１３、２１４、２１５、２１６、２１７及び２１８がある。第２のアーム２２０には、直列に電気的接続された４つの切替可能領域２２１、２２２、２２３、及び２２４がある。第３のアーム２３０には、直列に電気的接続された２つの切替可能領域２３１及び２３２がある。第４のアーム２４１には、単一の切替可能領域２４１がある。
【０２２６】
各アーム２０９、２２０、２３０及び２４０は、電気コネクタ領域２３７、２４７の両端間に並列に接続されている。
【０２２７】
各アーム２０９、２２０、２３０及び２４０内の各切替可能領域は、同じキャパシタンスを有するように構成されたＳＰＤフィルムのストリップである。
【０２２８】
周波数５０Ｈｚで大きさ１６０Ｖの正弦波波形を有する電圧を電気コネクタ領域２３７、２４７に印加すると、２０Ｖの電圧が第１のアーム内の各切替可能領域の両端にかかり、４０Ｖの電圧が第２のアーム内の各切替可能領域の両端にかかり、８０Ｖの電圧が第３のアーム内の各切替可能領域の両端にかかり、そして１６０Ｖの電圧が第４のアーム内の切替可能領域の両端にかかる。図２を参照すると、第１のアーム２０９内の切替可能領域は、不透明度を一番少なく変化させ、各切替可能領域は約（１００−４）＝９６％の不透明度を有する。第２のアーム２２０の切替可能領域は、約（１００−１８）＝８２％の不透明度を有する。第３のアーム２３０の切替可能領域は、約（１００−４４）＝５６％の不透明度を有し、第４のアーム２４０の切替可能領域の不透明度は、最も低い不透明度、すなわち約（１００−５１）＝４９％の不透明度を有する。
【０２２９】
ＳＰＤフィルムのストリップが、図１８に示すのと同じ空間的配置を有する場合、切替可能デバイス２１０の電気コネクタ領域２３７、２４７を適切な電源に接続すると、段階的透過度の領域が得られる。
【０２３０】
電源が電気コネクタ領域２３７、２４７に接続されていないとき、ＳＰＤフィルムのストリップはスイッチオフされ、最大の不透明度（約９９％、図２を参照）を有する。図２を参照して、すべての切替領域をオンに切り替えるために必要な電圧を決定する。不透明度を最高値から最低値に切り替えるためには、各切替可能領域の両端に少なくとも１２０Ｖの電圧が要求される。
【０２３１】
図１９は、図９に示された切替可能デバイス９０の一部の斜視図を示す。
【０２３２】
図１９に示された向きに関して、ＳＰＤフィルム６１、７１、８１の各ストリップは、上部電極と下部電極を含む。図９及びその関連する記載を参照すると、ＳＰＤフィルム６１のストリップの上部電極は第２の電極６５に対応し、ＳＰＤフィルム６１のストリップの下部電極は第１の電極６３に対応する。上部電極と下部電極との間には、懸濁粒子を含む層６４がある。ＳＰＤフィルム７１のストリップの上部電極は第２の電極７５に対応し、ＳＰＤフィルム７１のストリップの下部電極は第１の電極７３に対応する。上部電極と下部電極との間には、懸濁粒子を含む層７４がある。ＳＰＤフィルム８１のストリップの上部電極は第１の電極８３に対応し、ＳＰＤフィルム８１のストリップの下部電極は第２の電極８５に対応する。上部電極と下部電極との間には、懸濁粒子を含む層８４がある。
【０２３３】
電極６５、８３は、第１の電気コネクタ領域３７と電気的に連通している。電極６５、８３への電気的接続は、それぞれの電極のＩＴＯコーティングへの直接ガルバニック接続であってもよく、またはそれぞれの電極のＩＴＯコーティングへの容量接続であってもよい。電極６５、８３の間の直接ガルバニック電気接続は、任意の適切な電気コネクタ手段によるものであってもよい。
【０２３４】
電極６３と電極７３との間に直接ガルバニック接続がある。電極７５と電極８５との間に直接ガルバニック接続がある。電極７５、８５は、第２の電気コネクタ領域４７と電気的に連通している。
【０２３５】
図２０は、図７に示された切替可能デバイス６０の一部の斜視図を示す。
【０２３６】
図２０に示された向きに関して、ＳＰＤフィルム６１、７１、８１の各ストリップは、上部電極と下部電極を含む。図７及びその関連する記載を参照すると、ＳＰＤフィルム６１のストリップの上部電極は第２の電極６５に対応し、ＳＰＤフィルム６１のストリップの下部電極は第１の電極６３に対応する。上部電極と下部電極との間には、懸濁粒子を含む層６４がある。ＳＰＤフィルム７１のストリップの上部電極は第２の電極７５に対応し、ＳＰＤフィルム７１のストリップの下部電極は第１の電極７３に対応する。上部電極と下部電極との間には、懸濁粒子を含む層７４がある。ＳＰＤフィルム８１のストリップの上部電極は第１の電極８３に対応し、ＳＰＤフィルム８１のストリップの下部電極は第２の電極８５に対応する。上部電極と下部電極との間には、懸濁粒子を含む層８４がある。
【０２３７】
電極６５、７５は、第１の電気コネクタ領域３７と電気的に連通している。電極６５、７５への電気的接続は、それぞれの電極のＩＴＯコーティングへの直接ガルバニック接続であってもよく、またはそれぞれの電極のＩＴＯコーティングへの容量接続であってもよい。電極６５、７５の間の直接ガルバニック電気接続は、任意の適切な電気コネクタ手段によるものであってもよい。
【０２３８】
電極６３と電極７３との間に直接ガルバニック接続がある。電極７３と電極８３との間に直接ガルバニック接続がある。電極８５は、第２の電気コネクタ領域４７と電気的に連通している。
【０２３９】
図２０の代替配置において、図２１は、図７の切替可能デバイス６０を示し、ここではＳＰＤフィルム８１のストリップの上部電極が電極８５に対応し、ＳＰＤフィルム８１の下部電極が電極８３に対応するように、ＳＰＤフィルム８１のストリップが図２０に示された向きに対して反転されている。ＳＰＤフィルム８１は等方性であるので、このようにＳＰＤフィルム８１のストリップを反転させることが可能である。可能であれば、２つのそのようなＳＰＤフィルムの２つの電極を電気的に接続することがより容易であるように、ＳＰＤフィルムを反転させることが望ましい場合がある。
【０２４０】
図２２は、図７に示した切替可能デバイス６０を構築する代わりの方法を示している。
【０２４１】
１枚のＳＰＤフィルムを切断して、その中に３つの切替可能領域６１、７１及び８１を別々に生成する。切替可能領域６１は、点線まで（領域Ａ）にのみ切替可能である。切替可能領域７１は、点線まで（領域Ｂ）にのみ切替可能である。すべて３つの切替可能領域６１、７１、８１が共通の下部電極６３０を共有し、追加の電気的接続が下部電極に不要となるように元のＳＰＤフィルムが切断されている。
【０２４２】
切替可能領域６１、７１が共通の上部電極６５０を共有するように、元のＳＰＤフィルムが切断される。共通の上部電極６５０は、共通の上部電極上にある第１の電気コネクタ領域３７と電気的に連通している。第１の電気コネクタ領域３７は、共通の上部電極６５０のＩＴＯコーティングの一部であってもよい。代わりに、第１の電気コネクタ領域３７は上部ＰＥＴシート上の導電性領域であってもよく、それは前記ＰＥＴシート上のＩＴＯコーティングに容量結合する。
【０２４３】
第２の電気コネクタ領域は、切替可能領域８１の上部電極上にある。第２の電気コネクタ領域４７は、切替可能領域８１の上部電極のＩＴＯコーティングの一部であってもよい。代わりに、第１の電気コネクタ領域は上部ＰＥＴシート上の導電性領域であってもよく、それは切替可能領域８１の上部電極のＰＥＴシート上のＩＴＯコーティングに容量結合する。
【０２４４】
切替可能領域６１、７１及び８１が機械的に連通していても、本発明による切替可能デバイスを提供するために、各切替可能領域は電気的に接続されている。
【０２４５】
図２３は、ＩＴＯコーティング９と直接電気的に連通する第１の電気コネクタ領域３７を有するＳＰＤフィルム１（図１を参照して記載したような）を示し、すなわち、ＩＴＯコーティング９との直接ガルバニック接続が存在する。ＩＴＯコーティング９を露出させるために、ＳＰＤフィルム１の一部分２が除去されている（想像線で示されている）。ＩＴＯコーティング９に直接ガルバニック接続を行うためにコンタクト接着剤などを使用してもよい。同様の接続４７（想像線で示されている）をＩＴＯコーティング７に施すことができる。銅線、導電性テープなどのような電気導体が、他の電気部品への電気接続のために電気コネクタ領域３７（及び／または４７）から伸延してもよい。
【０２４６】
第１の電気コネクタ領域３７は電極１５上にあり、第２の電気コネクタ４７は電極１３上にある。
【０２４７】
図２４は、ＩＴＯコーティング７と電気的に連通する第１の電気コネクタ領域３７´と、ＩＴＯコーティング９と電気的に連通する第２の電気コネクタ領域４７´とを有する（図１を参照して記載したような）ＳＰＤフィルム１を示す。第１の電気コネクタ領域３７´は電極１３上にあり、第２の電気コネクタ領域４７´は電極１５上にある。
【０２４８】
第１及び第２のコネクタ領域３７´、４７´を適切な電源に接続すると層１１の不透明度が変化できるように、第１の電気コネクタ領域３７´は、ＩＴＯコーティング７と容量結合することができ、第２の電気コネクタは、ＩＴＯコーティング９と容量結合することができる。銅線などが、他の電気部品への電気的接続のために電気コネクタ領域３７´（及び／または４７´）から伸延してもよい。
【０２４９】
図２４に示された電気コネクタ領域３７´、４７´は、公開されたＷＯ２０１０／０３２０７０Ａ１に記載されたように、特にＷＯ２０１０／０３２０７０Ａ１の第９頁２８行〜第１０頁５行に記載されたように遠隔電気接続と呼ばれてもよい。
【０２５０】
図２５は、３つのブランチ４０１、４０２及び４０３を有する別の切替可能デバイス４００を示す。第１のブランチ４０１には、４つのアーム４１６、４１８、４２０及び４２２がある。第２のブランチ４０２には、３つのアーム４６０、４７０及び４８０がある。第３のブランチ４０３には、２つのアーム４９６及び４９８がある。
【０２５１】
ブランチ４０１は、ノード４０４と４２４との間にある。ブランチ４０２は、ノード４０６と４６７との間にある。ブランチ４０３は、ノード４１０と４１４との間にある。
【０２５２】
ノード４０４は、第１の電気コネクタ領域３７と直接電気的に連通している。ノード４２４は、ノード４０６と直接電気的に連通している。ノード４６７は、ノード４１０と直接電気的に連通している。ノード４１４は、第２の電気コネクタ領域４７と直接電気的に連通している。
【０２５３】
図２６は、各ブランチの各アームにおけるＳＰＤフィルムの各ストリップがキャパシタによって表された切替可能デバイス４００の回路図表示を示す。例えば、図２５のＳＰＤフィルム４３１のストリップは、図２６のキャパシタ４３１´によって表され、図２５のＳＰＤフィルム４３２のストリップは、キャパシタ４３２´で表される、など。
【０２５４】
切替可能デバイス４００は、図２５及び図２６を参照してより詳細に記載される。
【０２５５】
各アーム４１６、４１８、４２０、４２２、４６０、４７０、４８０、４９６及び４９８には、図１に関連して記載したタイプのＳＰＤフィルムの少なくとも１つのストリップがあり、ＳＰＤフィルムの各ストリップは、第１（上部）及び第２（下部）の電極を有し、その間に懸濁粒子を含む可変不透度明層がある。分かりやすくするために、各それぞれの上部と下部の電極及び可変不透明度層は、図２５ではラベル付けされておらず、そして図１１と同様に、ＳＰＤフィルムの各ストリップが断面で示され、それぞれの電極の導電性ＩＴＯコーティングのみが示されている。各アームのＳＰＤフィルムの各ストリップは、同じキャパシタンス（＝Ｃ）を有するように構成される。例えば、ＳＰＤフィルムの各ストリップは、同じ主表面積、すなわち幅２ｃｍ×長さ５０ｃｍ、を有し、それぞれは同じ「マザーシート」から切断されている。
【０２５６】
ブランチ４０１のアーム４１６は、ノード４０４と４２４との間に直列に電気的接続されたＳＰＤフィルム４３１、４３２、４３３、４３４、４３５、４３６、４３７及び４３８の８つのストリップを有する。ＳＰＤフィルム４３１の上部電極はノード４０４と電気的に連通し、ＳＰＤフィルム４３８の下部電極はノード４２４と電気的に連通している。この特定の例では、隣接する２つのストリップに対して、１つのストリップの下部電極が他のストリップの上部電極に電気的接続されるように、ＳＰＤフィルムの隣接ストリップが直列に電気的接続される。例えば、ＳＰＤフィルム４３１のストリップの下部電極は、ＳＰＤフィルム４３２のストリップの上部電極に電気的に接続される。ＳＰＤフィルムの１つのストリップの上部電極がＳＰＤフィルムの隣接ストリップの上部電極に接続されるように、ＳＰＤフィルムのストリップを直列に電気的接続することが望ましい場合がある。図２１に関して論じたように、これはＳＰＤフィルムのストリップが等方性であるので可能である。
【０２５７】
疑義を避けるために、アーム４１６の電気的接続をより詳細に記載する。ＳＰＤフィルム４３１のストリップの下部電極は、ＳＰＤフィルム４３２のストリップの上部電極と電気的に連通している。この例では、ＳＰＤフィルム４３１のストリップの下部電極とＳＰＤフィルム４３２のストリップの上部電極との間に直接ガルバニック接続がある。
【０２５８】
ＳＰＤフィルムのストリップ４３２の下部電極は、ＳＰＤフィルム４３３のストリップの上部電極と電気的に連通している。この例では、ＳＰＤフィルム４３２のストリップの下部電極とＳＰＤフィルム４３３のストリップの上部電極との間に直接ガルバニック接続がある。
【０２５９】
ＳＰＤフィルム４３３のストリップの下部電極は、ＳＰＤフィルム４３４のストリップの上部電極と電気的に連通している。この例では、ＳＰＤフィルム４３３のストリップの下部電極とＳＰＤフィルム４３４のストリップの上部電極との間に直接ガルバニック接続がある。
【０２６０】
ＳＰＤフィルム４３４のストリップの下部電極は、ＳＰＤフィルム４３５のストリップの上部電極と電気的に連通している。この例では、ＳＰＤフィルム４３４のストリップの下部電極とＳＰＤフィルム４３５のストリップの上部電極との間に直接ガルバニック接続がある。
【０２６１】
ＳＰＤフィルム４３５のストリップの下部電極は、ＳＰＤフィルム４３６のストリップの上部電極と電気的に連通している。この例では、ＳＰＤフィルム４３５のストリップの下部電極とＳＰＤフィルム４３６のストリップの上部電極との間に直接ガルバニック接続がある。
【０２６２】
ＳＰＤフィルム４３６のストリップの下部電極は、ＳＰＤフィルム４３７のストリップの上部電極と電気的に連通している。この例では、ＳＰＤフィルム４３６のストリップの下部電極とＳＰＤフィルム４３７のストリップの上部電極との間に直接ガルバニック接続がある。
【０２６３】
ＳＰＤフィルム４３７のストリップの下部電極は、ＳＰＤフィルム４３８のストリップの上部電極と電気的に連通している。この例では、ＳＰＤフィルム４３７のストリップの下部電極とＳＰＤフィルム４３８のストリップの上部電極との間に直接ガルバニック接続がある。
【０２６４】
ブランチ４０１のアーム４１８は、２つのノード４４０と４４６との間に直列に電気的接続されたＳＰＤフィルム４４１、４４２、４４３及び４４４の４つのストリップを有する。ＳＰＤフィルム４４１の上部電極はノード４４０と電気的に連通し、ＳＰＤフィルム４４４の下部電極はノード４４６と電気的に連通している。ノード４４０はノード４０４と直接電気的に連通し、ノード４４６はノード４２４と直接電気的に連通している。
【０２６５】
ＳＰＤフィルム４４１のストリップの上部電極は、ノード４４０への直接ガルバニック接続を有する。
【０２６６】
ＳＰＤフィルム４４１のストリップの下部電極は、ＳＰＤフィルム４４２のストリップの上部電極と電気的に連通している。この例では、ＳＰＤフィルム４４１のストリップの下部電極とＳＰＤフィルム４４２のストリップの上部電極との間に直接ガルバニック接続がある。
【０２６７】
ＳＰＤフィルム４４２のストリップの下部電極は、ＳＰＤフィルム４４３のストリップの上部電極と電気的に連通している。この例では、ＳＰＤフィルム４４２のストリップの下部電極とＳＰＤフィルム４４３のストリップの上部電極との間に直接ガルバニック接続がある。
【０２６８】
ＳＰＤフィルム４４３のストリップの下部電極は、ＳＰＤフィルム４４４のストリップの上部電極と電気的に連通している。この例では、ＳＰＤフィルム４４３のストリップの下部電極とＳＰＤフィルム４４４のストリップの上部電極との間に直接ガルバニック接続がある。
【０２６９】
ＳＰＤフィルム４４４のストリップの下部電極は、ノード４４６への直接ガルバニック接続を有する。
【０２７０】
ブランチ４０１のアーム４２０は、２つのノード４４８と４５３との間に直列に電気的接続されたＳＰＤフィルム４５０、４５１の２つのストリップを有する。ＳＰＤフィルム４５０の上部電極はノード４４８と電気的に連通しており、ＳＰＤフィルム４５１の下部電極はノード４５３と電気的に連通している。ノード４４８はノード４４０（したがってノード４０４）と直接電気的に連通し、ノード４５３はノード４４６（したがってノード４２４）と直接電気的に連通している。
【０２７１】
ＳＰＤフィルム４５０のストリップの下部電極は、ＳＰＤフィルム４５１のストリップの上部電極と電気的に連通している。この例では、ＳＰＤフィルム４５０のストリップの下部電極とＳＰＤフィルム４５１のストリップの上部電極との間に直接ガルバニック接続がある。
【０２７２】
ＳＰＤフィルム４５１のストリップの下部電極は、ノード４５３への直接ガルバニック接続を有し、ＳＰＤフィルム４５０のストリップの上部電極は、ノード４４８への直接ガルバニック接続を有する。
【０２７３】
ブランチ４０１のアーム４２２は、ノード４５８と４５４との間に電気的接続された単一のＳＰＤフィルム４５６のストリップを有する。ＳＰＤフィルム４５６の上部電極はノード４５４と電気的に連通し、ＳＰＤフィルム４５６の下部電極はノード４５８と電気的に連通している。ノード４５４はノード４４８（したがってノード４４０、４０４）と直接電気的に連通し、ノード４５８はノード４５３（したがってノード４４６、４２４）と直接電気的に連通している。
【０２７４】
ＳＰＤフィルム４５６のストリップの下部電極は、ノード４５８への直接ガルバニック接続を有し、ＳＰＤフィルム４５６のストリップの上部電極は、ノード４５４への直接ガルバニック接続を有する。
【０２７５】
ブランチ４０２のアーム４６０は、ノード４０８と４６７との間に直列に電気的接続されたＳＰＤフィルム４６１、４６２、４６３、４６４、４６５及び４６６の６つのストリップを有する。ＳＰＤフィルム４６１の上部電極はノード４０８と電気的に連通し、ＳＰＤフィルム４６６の下部電極はノード４６７と電気的に連通している。ノード４０８はノード４０６と直接電気的に連通し、ノード４６７はノード４１０と直接電気的に連通している。
【０２７６】
ブランチ４０２のアーム４７０は、ノード４６９と４７５との間に直列に電気的接続されたＳＰＤフィルム４７１、４７２、及び４７３の３つのストリップを有する。ＳＰＤフィルム４７１の上部電極はノード４６９と電気的に連通し、ＳＰＤフィルム４７３の下部電極はノード４７５と電気的に連通している。ノード４６９はノード４０８と直接電気的に連通し、ノード４７５はノード４６７と直接電気的に連通している。
【０２７７】
ブランチ４０２のアーム４８０は、ノード４７７と４７９との間に直列に電気的接続されたＳＰＤフィルム４８１及び４８２の２つのストリップを有する。ＳＰＤフィルム４８１の上部電極はノード４７７と電気的に連通し、ＳＰＤフィルム４８２の下部電極はノード４７９と電気的に連通している。ノード４７７はノード４６９（したがってノード４０８）と直接電気的に連通し、ノード４７９はノード４７５（したがってノード４６７）と直接電気的に連通している。
【０２７８】
ブランチ４０３のアーム４９６は、ＳＰＤフィルム４９２のストリップと直列に電気的接続されたＳＰＤフィルム４９１のストリップを有する。ＳＰＤフィルム４９１の上部電極はノード４１２と電気的に連通しており、ＳＰＤフィルム４９１の下部電極はＳＰＤフィルム４９２のストリップの上部電極と電気的に連通している。ノード４１２は、ノード４１０と直接電気的に連通している。
【０２７９】
ＳＰＤフィルム４９２の下部電極とノード４９０との間には、ＳＰＤフィルム４９３、４９４の２つのストリップが並列に電気的接続されている。ＳＰＤフィルム４９３、４９４のストリップの下部電極は、ノード４９０と電気的に連通している。ＳＰＤフィルム４９３、４９４のストリップの上部電極は、ＳＰＤフィルム４９２のストリップの下部電極と電気的に連通している。
【０２８０】
ブランチ４０３のアーム４９８は、ノード４９５と４９９との間に単一のＳＰＤフィルム４９７のストリップを有する。ＳＰＤフィルム４９７のストリップの上部電極は、ノード４９５と電気的に連通しており、ＳＰＤフィルム４９７のストリップの下部電極は、ノード４９９と電気的に連通している。ノード４９５はノード４１２と直接電気的に連通しており、ノード４９９はノード４９０と直接電気的に連通している。ノード４９０はノード４１４と直接電気的に連通している。
【０２８１】
式（１）〜（９）に従って、切替可能デバイス４００は３つのブランチを有し、すなわちＢ＝３である。それで、切替可能デバイス４００は式（６）によって表わすことができ、ＳＤ＝Ｂ１＋Ｂ２＋Ｂ３となり、ここでＢ１≡ブランチ４０１、Ｂ２≡ブランチ４０２、及びＢ３≡ブランチ４０３である。
【０２８２】
ブランチＢ１には４つのアームがあり、式（４）に従って、Ｂ１＝Ｉ１１＋Ｉ２１＋Ｉ３１＋Ｉ４１となり、ここでＩ１１≡アーム４１６、Ｉ２１≡アーム４１８、Ｉ３１≡アーム４２０及びＩ４１≡アーム４２２である。見てとれるように、ブランチＢ１には１５の切替可能領域、ブランチＢ２には１１の切替可能領域、そしてブランチＢ３には５つの切替可能領域がある。
【０２８３】
ブランチＢ２には３つのアームがあり、式（４）に従って、Ｂ２＝Ｉ１２＋Ｉ２２＋Ｉ３２となり、ここでＩ１２≡アーム４６０、Ｉ２２≡アーム４７０及びＩ３２≡アーム４８０である。
【０２８４】
ブランチＢ３には２つのアームがあり、式（４）に従って、Ｂ３＝Ｉ１３＋Ｉ２３となり、ここでＩ１３≡アーム４９６及びＩ２３≡アーム４９８である。
【０２８５】
アームＩ１１には、直列に電気的接続された８つのＳＰＤフィルムのストリップがあり、並列に電気的接続されたＳＰＤフィルムのストリップはゼロである。式（５）に従って、Ｉ１１＝１ｓ１１＋１ｓ２１＋１ｓ３１＋１ｓ４１＋１ｓ５１＋１ｓ６１＋１ｓ７１＋１ｓ８１となり、ここで１ｓ１１≡ＳＰＤフィルム４３１、１ｓ２１≡ＳＰＤフィルム４３２、１ｓ３１≡ＳＰＤフィルム４３３、１ｓ４１≡ＳＰＤフィルム４３４、１ｓ５１≡ＳＰＤフィルム４３５、１ｓ６１≡ＳＰＤフィルム４３６、１ｓ７１≡ＳＰＤフィルム４３７及び１ｓ８１≡ＳＰＤフィルム４３８である。
【０２８６】
同様に、アームＩ２１＝１ｓ１２＋１ｓ２２＋１ｓ３２＋１ｓ４２となり、ここで１ｓ１２≡ＳＰＤフィルム４４１、１ｓ２２≡ＳＰＤフィルム４４２、１ｓ３２≡ＳＰＤフィルム４４３及び１ｓ４２≡ＳＰＤフィルム４４４である。
【０２８７】
同様に、アームＩ３１＝１ｓ１３＋１ｓ２３となり、ここで１ｓ１３≡ＳＰＤフィルム４５０及び１ｓ２３≡ＳＰＤフィルム４５１である。
【０２８８】
アームＩ４１＝１ｓ１４となり、ここで１ｓ１４≡ＳＰＤフィルム４５６である。
【０２８９】
アームＩ１２には、直列に電気的接続された６つのＳＰＤフィルムのストリップがあり、並列に電気的接続されたＳＰＤフィルムのストリップはゼロである。式（５）に従って、Ｉ１２＝２ｓ１１＋２ｓ２１＋２ｓ３１＋２ｓ４１＋２ｓ５１＋２ｓ６１となり、ここで２ｓ１１≡ＳＰＤフィルム４６１、２ｓ２１≡ＳＰＤフィルム４６２、２ｓ３１≡ＳＰＤフィルム４６３、２ｓ４１≡ＳＰＤフィルム４６４、２ｓ５１≡ＳＰＤフィルム４６５及び２ｓ６１≡ＳＰＤフィルム４６６である。同様に、Ｉ２２＝２ｓ１２＋２ｓ２２＋２ｓ３２となり、ここで２ｓ１２≡ＳＰＤフィルム４７１、２ｓ２２≡ＳＰＤフィルム４７２及び２ｓ３２≡ＳＰＤフィルム４７３である。
【０２９０】
同様に、Ｉ３２＝２ｓ１３＋２ｓ２３となり、ここで２ｓ１３≡ＳＰＤフィルム４８１及び２ｓ２３≡ＳＰＤフィルム４８２である。
【０２９１】
アームＩ１３には、直列に電気的接続された２つのＳＰＤフィルムのストリップがあり、並列に電気的接続された２つのＳＰＤフィルムのストリップがある。式（５）に従って、Ｉ１３＝３ｓ１１＋３ｓ２１＋３ｐ１１＋３ｐ２１となり、ここで３ｓ１１≡ＳＰＤフィルム４９１、３ｓ２１≡ＳＰＤフィルム４９２、３ｐ１１≡ＳＰＤフィルム４９３及び３ｐ２１≡ＳＰＤフィルム４９４である。
【０２９２】
アームＩ２３＝３ｓ１２となり、ここで３ｓ１２≡ＳＰＤフィルム４９７である。
【０２９３】
図２６を参照して、アーム４１６は、ノード４０４と４２４との間に直列に電気的接続された８つのキャパシタ４３１´、４３２´、４３２´、４３４´、４３５´、４３６´、４３７´及び４３８´で表される。アーム４１８は、ノード４４０とノード４４６との間に直列に電気的接続された４つのキャパシタ４４１´、４４２´、４４３´及び４４４´で表される。アーム４２０は、ノード４４８とノード４５３との間に直列に電気的接続された２つのキャパシタ４５０´及び４５１´で表される。アーム４２２は、ノード４５４とノード４５８との間のキャパシタ４５６´で表される。アーム４６０は、ノード４０８と４６７との間に直列に電気的接続された６つのキャパシタ４６１´、４６２´、４６３´、４６４´、４６５´及び４６６´で表される。アーム４７０は、ノード４６９と４７５との間に直列に電気的接続された３つのキャパシタ４７１´、４７２´及び４７３´で表される。アーム４８０は、ノード４７７と４７９との間に直列に電気的接続された２つのキャパシタ４８１´及び４８２´で表される。アーム４９６は、ノード４１２とノード４９０との間のキャパシタネットワークによって表され、キャパシタネットワークは、直列に電気的接続された２つのキャパシタ４９１´及び４９２´と、それに続く並列に電気的接続された２つのキャパシタ４９３´及び４９４´とを含む。アーム４９８は、ノード４９５とノード４９９との間のキャパシタ４９７´によって表される。
【０２９４】
切替可能デバイス４００は、単に一対の電気コネクタ領域３７及び４７のみを有する。しかしながら、切替可能デバイスが追加の電気コネクタ領域を有してもよいことは容易に明らかであろう。例えば、異なるまたは１つ以上の電源が２つの異なるノードの両端間に適用されてもよい、例えばノード４０８と４６７との間に追加の電源を適用してもよい。しかしながら、一対の電気コネクタ領域が存在することが好ましい。
【０２９５】
前述の例では、切替可能領域はＳＰＤフィルムによって提供される。当技術分野で知られているように、典型的なＳＰＤフィルムのキャパシタンスは、約４００〜１０００ｎＦ／ｍ２であり得る。幅１センチメートルで長さ１メートルのそのようなＳＰＤフィルムのストリップに対して、キャパシタンスは約４〜１０ｎＦである。このようなフィルムを１２０Ｖで切り替えると、図２に従ってフィルムが暗から明に変化する。およそ３５％のフィルムを透過する光透過度を得るために、フィルム両端間の電圧の大きさは約６０Ｖである必要がある。
【０２９６】
本発明による切替可能デバイスは、グレージングの構成部品として特定の用途を見出し、この場合、グレージングの一部は、可変不透明度の少なくとも２つの手動操作可能な切替可能領域を有することが望ましい。本発明は、単一の対の電気コネクタ領域を適切な電源に接続すると、不透明度の手動操作可能な変化を有し得る切替可能デバイスを提供する。典型的なグレージングとしては、フロントガラス、サイド窓、サンルーフ、ムーンルーフ及びバックライトなどの自動車グレージングを含む車両グレージング及び船舶や航空機用グレージングを含む。典型的なグレージングは、窓や内装仕切りのような建物のためのグレージングも含む。切替可能デバイスは、バイザーまたはゴーグルの一部として使用されてもよい。
【図１】
2017538967.tif 000010
【図２】
2017538967.tif 000011
【図３】
2017538967.tif 000012
【図４】
2017538967.tif 000013
【図５】
2017538967.tif 000014
【図６】
2017538967.tif 000015
【図７】
2017538967.tif 000016
【図８】
2017538967.tif 000017
【図９】
2017538967.tif 000018
【図１０】
2017538967.tif 000019
【図１１】
2017538967.tif 000020
【図１２】
2017538967.tif 000021
【図１３】
2017538967.tif 000022
【図１４】
2017538967.tif 000023
【図１５】
2017538967.tif 000024
【図１６】
2017538967.tif 000025
【図１７】
2017538967.tif 000026
【図１８】
2017538967.tif 000027
【図１９】
2017538967.tif 000028
【図２０】
2017538967.tif 000029
【図２１】
2017538967.tif 000030
【図２２】
2017538967.tif 000031
【図２３】
2017538967.tif 000032
【図２４】
2017538967.tif 000033
【図２５】
2017538967.tif 000034
【図２６】
2017538967.tif 000035
【国際調査報告】
2017538967.tif 000036
2017538967.tif 000037
2017538967.tif 000038